(57)【要約】【課題】  積牌や配牌の動麻雀卓の整列牌を、従来より牌の種類を分散させランダムに整列牌を形成することができる自動麻雀卓を提供する。【解決手段】  攪拌装置から牌を取り上げる汲上機構を隣設し、汲上機構には牌の取り込みを制御する進入口開閉機構を有し、該進入口開閉機構が開口し該汲上機構によって取り上げられた牌を配牌と積牌とに振り分け機構を設け、さらに二段積牌と配牌とに整列する整列機構とを備えてなる自動麻雀卓であって、進入口開閉機構には仕切片が設けられ、該仕切片によって牌の進入を禁止すべく進入口を閉鎖、及び、牌を進入すべく進入口を開口し、配牌の取り込みに際しては、その間に仕切片が複数回閉鎖するか、或いは、振り分け機構により積牌の取込み操作を挿入して、配牌の取り込みを中断して、配牌の取り込みを複数回に分けるようにした自動麻雀卓。【選択図】  図２７
2010240268.tif 000002
【特許請求の範囲】
【請求項１】
各場へ牌を供給するための４つの開口が設けられている天板を有する本体と、磁性体を埋設した牌を攪拌するため前記本体内に設けられた攪拌装置とが設けられ、該攪拌装置から牌を取り上げる汲上機構を隣設し、該汲上機構には牌の取り込みを制御する進入口開閉機構を有し、該進入口開閉機構が開口し該汲上機構によって取り上げられた牌を前記汲上機構と連動して配牌と積牌を整列する振り分け機構を設け、さらに二段積牌と配牌とに整列する整列機構とを備えてなる自動麻雀卓であって、
前記汲上機構と前記振り分け機構とによって、１ゲーム内での配牌の取り込みに際して配牌の取り込みを複数回に分けたことを特徴とする自動麻雀卓。
【請求項２】
各場へ牌を供給するための４つの開口が設けられている天板を有する本体と、磁性体を埋設した牌を攪拌するため前記本体内に設けられた攪拌装置とが設けられ、該攪拌装置から牌を取り上げる汲上機構を隣設し、該汲上機構には牌の取り込みを制御する進入口開閉機構を有し、該進入口開閉機構が開口し該汲上機構によって取り上げられた牌を前記汲上機構と連動して配牌と積牌を整列する振り分け機構を設け、さらに二段積牌と配牌とに整列する整列機構とを備えてなる自動麻雀卓であって、
配牌の形成時に、前記進入口開閉機構には仕切片を設け、該仕切片によって所定時間は牌の進入を禁止すべく進入口を閉鎖し、及び、所定数の牌を進入させるべく進入口を開口し、１ゲーム内での配牌の取り込みに際して仕切片が複数回閉鎖及び開口して、配牌の取り込みを複数回に分けたことを特徴とする自動麻雀卓。
【請求項３】
各場へ牌を供給するための４つの開口が設けられている天板を有する本体と、磁性体を埋設した牌を攪拌するため前記本体内に設けられた攪拌装置とが設けられ、該攪拌装置から牌を取り上げる汲上機構を隣設し、該汲上機構には牌の取り込みを制御する進入口開閉機構を有し、該進入口開閉機構が開口し該汲上機構によって取り上げられた牌を前記汲上機構と連動して配牌と積牌を整列する振り分け機構を設け、さらに二段積牌と配牌とに整列する整列機構とを備えてなる自動麻雀卓であって、
配牌の形成時に、前記振り分け機構により積牌の取込み操作を挿入して、１ゲーム内で配牌の取り込みを中断するようにして、配牌の取り込みを複数回に分けたことを特徴とする自動麻雀卓。
【請求項４】
前記配牌の取り込みの途中に、該振り分け機構により積牌の取込み操作を挿入して、配牌の取り込みを中断するようにしたことを特徴とする請求項２に記載の自動麻雀卓。
【請求項５】
連続して取り込む上記所定数の配牌は、４牌以下となるように仕切片が複数回閉鎖するようにしたことを特徴とする請求項２又は４に記載の自動麻雀卓。
【請求項６】
前記積牌の取り込みに際して、振り分け機構により積牌の取り込みを複数回に分けるようにしたことを特徴とする請求項２乃至５に記載の自動麻雀卓。
【請求項７】
前記積牌の取り込みに際しては、必要に応じて、積牌及び配牌を取り込みする撹拌モードを選択できるようにしたことを特徴とする請求項１乃至６に記載の自動麻雀卓。
【発明の詳細な説明】
【技術分野】
【０００１】
本発明は、卓内に投入された１組の牌を攪拌処理した後、自動的に整列牌を天板上に押し上げることのできる自動麻雀卓において、配牌及び積牌に対しての撹拌効率を高めてよりランダムに配列することに関するものである。
【背景技術】
【０００２】
自動麻雀卓は、種々の技術開発がなされているが、牌を攪拌して整列する洗牌技術としては、大凡、(1)傾斜ターンテーブルとホッパリングを用いて１つの取出口から牌を取出す方式、(2)水平ターンテーブルを用いて４つの取出口から牌を取出す方式に大別することができるが、(1)の公知例としては特許文献１(特開昭54-40741号公報)が、(2)の公知例としては特許文献２（特開昭61-244384号公報）や特許文献３（特開昭61-244385号公報）が知られている。
【０００３】
現在、ゲーム終了後の牌を麻雀卓の内部に投下して、攪拌しつつ牌を取り上げ、各場に均等数の２段積み牌を正方形状に配列形成して待機させ、次のプレイ開始にあたって、この正方形状に配列した２段積み牌を天板上に押し出すものが殆どであるが、このような、従来型の自動麻雀卓を用いた場合、ゲーム開始において、慣習的に、親が振ったサイコロの目によって、懸賞牌を反転させたり、城壁牌の一部を各プレーヤーが順にとって配牌を行っている。
このように従来型の自動麻雀卓においては、人手によって配牌を行うという作業が必要であるが、係る行為は、煩わしい上に、間違えたり、２段積みの積牌を崩してしまったりするため、特許文献４及び特許文献５に開示されているように、２段積み整列する積牌と共に、１３牌の整列した配牌までを自動的に形成し、これらを天板上に押し出すことのできる自動麻雀卓が開示されており、これらの自動麻雀卓は、いずれも１３牌の配牌、及び、２段積みの積牌をそれぞれ専用に設けられた２つの別の昇降機構によって天板上に押し出すものである。
【０００４】
また、特許文献６に示すように、攪拌装置が回転するターンテーブルと外壁とが設けられ、攪拌された牌はターンテーブルの回転により外壁に向かって移動させ、牌を取り上げる汲上機構は円筒回転体が設けられ、円筒回転体には磁石を埋没した吸着面を設け、吸着面の磁気力により牌を吸着して下方から上方に吸い上げるように円筒回転体を回転させ、複数の形成・供給機構には円筒回転体の頂上付近に誘導路を設け、誘導路に円筒回転体により下方から上方に吸い上げられた牌が補足する自動麻雀卓が提案され、牌を取り上げ、形成・供給機構に供給する機構を簡単で小型にした自動麻雀卓が提案されている。
【先行技術文献】
【特許文献】
【０００５】
【特許文献１】特開昭５４−４０７４１号公報
【特許文献２】特開昭６１−２４４３８４号公報
【特許文献３】特開昭６１−２４４３８５号公報
【特許文献４】特開昭６２−４９８７９号公報
【特許文献５】特開昭６２−６８４７９号公報
【特許文献６】特開２００６−３１４８３０号公報
【発明の開示】
【発明が解決しようとする課題】
【０００６】
従来のこれらの配牌まで自動的に形成する自動麻雀卓は、ゲーム終了後にホッパー蓋(牌投入口)が開いて、牌が麻雀卓本体内のターンテーブル上に落下してランダムになるように撹拌（洗牌)されるが、大きく撹拌されずに同じ周回上に集まり易く、この状態でターンテーブルから牌を取り上げる汲上機構によって整列牌を形成する場合に、取り込みタイミング時に続けて取り込まれると、牌の種類が偏る可能性が高くなり、特に、配牌の整列形成時に起こると大きな役がでやすくなるといった問題が生じていた。
本発明の課題は、これらの問題点に鑑みてなされたもので、麻雀ゲームにおいて旧来からの手作業で積牌や配牌を形成をする場合に近似させ、従来の自動麻雀卓の整列牌よりも、より牌の種類を分散させランダムに整列牌を形成する自動麻雀卓を提供しようとするものである。
【課題を解決するための手段】
【０００７】
上記課題を解決するための請求項１の発明は、請求項１の発明は、各場へ牌を供給するための４つの開口が設けられている天板を有する本体と、磁性体を埋設した牌を攪拌するため前記本体内に設けられた攪拌装置とが設けられ、該攪拌装置から牌を取り上げる汲上機構を隣設し、該汲上機構には牌の取り込みを制御する進入口開閉機構を有し、該進入口開閉機構が開口し該汲上機構によって取り上げられた牌を前記汲上機構と連動して配牌と積牌を整列する振り分け機構を設け、さらに二段積牌と配牌とに整列する整列機構とを備えてなる自動麻雀卓であって、
前記汲上機構と前記振り分け機構とによって、１ゲーム内での配牌の取り込みに際して配牌の取り込みを複数回に分けたことを特徴とする。
請求項２の発明は、各場へ牌を供給するための４つの開口が設けられている天板を有する本体と、磁性体を埋設した牌を攪拌するため前記本体内に設けられた攪拌装置とが設けられ、該攪拌装置から牌を取り上げる汲上機構を隣設し、該汲上機構には牌の取り込みを制御する進入口開閉機構を有し、該進入口開閉機構が開口し該汲上機構によって取り上げられた牌を前記汲上機構と連動して配牌と積牌を整列する振り分け機構を設け、さらに二段積牌と配牌とに整列する整列機構とを備えてなる自動麻雀卓であって、配牌の形成時に、前記進入口開閉機構には仕切片を設け、該仕切片によって所定時間は牌の進入を禁止すべく進入口を閉鎖し、及び、所定数の牌を進入させるべく進入口を開口し、１ゲーム内での配牌の取り込みに際して仕切片が複数回閉鎖及び開口して、配牌の取り込みを複数回に分けたことを特徴とする。
請求項３の発明は、各場へ牌を供給するための４つの開口が設けられている天板を有する本体と、磁性体を埋設した牌を攪拌するため前記本体内に設けられた攪拌装置とが設けられ、該攪拌装置から牌を取り上げる汲上機構を隣設し、該汲上機構には牌の取り込みを制御する進入口開閉機構を有し、該進入口開閉機構が開口し該汲上機構によって取り上げられた牌を前記汲上機構と連動して配牌と積牌を整列する振り分け機構を設け、さらに二段積牌と配牌とに整列する整列機構とを備えてなる自動麻雀卓であって、配牌の形成時に、前記振り分け機構により積牌の取込み操作を挿入して、１ゲーム内で配牌の取り込みを中断するようにして、配牌の取り込みを複数回に分けたことを特徴とする。
請求項４の発明は、請求項２に記載の自動麻雀卓において、前記配牌の取り込みの途中に、該振り分け機構により積牌の取込み操作を挿入して、配牌の取り込みを中断するようにしたことを特徴とする。
請求項５の発明は、請求項２又は４に記載の自動麻雀卓において、連続して取り込む上記所定数の配牌は、４牌以下となるように仕切片が複数回閉鎖するようにしたことを特徴とする。
請求項６の発明は、請求項２乃至５に記載の自動麻雀卓において、前記積牌の取り込みに際して、振り分け機構により積牌の取り込みを複数回に分けるようにしたことを特徴とする。
請求項７の発明は、請求項１乃至６に記載の自動麻雀卓において、前記積牌の取り込みに際しては、必要に応じて、積牌及び配牌を取り込みする撹拌モードを選択できるようにしたことを特徴とする。
【発明の効果】
【０００８】
以上のように、請求項１の自動麻雀卓の発明によれば、配牌を汲上機構によって攪拌装置から汲上げる配牌の形成時に、１ゲーム内での配牌の取り込みに際して取り込みを複数回に分けたので、配牌の撹拌効率を高め、また、必要に応じて積牌の取り込みも複数に分けて積牌の撹拌効率を高め、従来の自動麻雀卓の整列牌よりも、麻雀ゲームにおいて旧来の手作業で積牌や配牌を形成する場合に近似させ、撹拌を進め牌の種類をより分散させランダムに配牌や積牌の整列牌を形成することができるという効果が得られる。
請求項２の自動麻雀卓の発明によれば、配牌を汲上機構によって攪拌装置から汲上げる配牌の形成時に、前記進入口開閉機構には仕切片を設け、該仕切片によって所定時間は牌の進入を禁止すべく進入口を閉鎖し、及び、所定数の牌を進入させるべく進入口を開口し、１ゲーム内での配牌の取り込みに際して仕切片が複数回閉鎖及び開口して、配牌の取り込みを複数回に分けたので、従来の仕切片の構成を利用して、仕切片のプログラムを設定するだけの簡単な操作で配牌の撹拌効率を高め、従来の自動麻雀卓の整列牌よりも、麻雀ゲームにおいて旧来の手作業で積牌や配牌を形成する場合に近似させ、撹拌を進め牌の種類をより分散させランダムに配牌や積牌の整列牌を形成することができるという効果が得られる。
請求項３の自動麻雀卓の発明によれば、配牌を汲上機構によって攪拌装置から汲上げる配牌の形成時に、前記振り分け機構により積牌の取込み操作を挿入して、１ゲーム内で配牌の取り込みを中断するようにして、配牌の取り込みを複数回に分けたことので、比較的長時間での配牌形成を中断するので、撹拌装置での大きな範囲の撹拌でき、従来の配牌と積牌形成の切り替え機構を利用でき、プログラムを設定するだけの簡単な操作で配牌の撹拌効率を高め、従来の自動麻雀卓の整列牌よりも、麻雀ゲームにおいて旧来の手作業で積牌や配牌を形成する場合に近似させ、撹拌を進め牌の種類をより分散させランダムに配牌や積牌の整列牌を形成することができるという効果が得られる。
請求項４の自動麻雀卓の発明によれば、請求項２に記載の自動麻雀卓において、更に、配牌の取り込みの途中に、該振り分け機構により積牌の取込み操作を挿入して、配牌の取り込みを中断するようにしたので、請求項２と請求項３との利点を合わせもち、請求項２の発明の効果に加えて、より配牌の撹拌効率を高めることができるという効果が得られる。
請求項５の自動麻雀卓の発明によれば、請求項２又は４に記載の自動麻雀卓において、連続して取り込む上記所定数の配牌は、４牌以下となるように仕切片が複数回閉鎖するようにしたので、より小刻みに配牌の取り込みを分けたので、請求項２の発明の効果に加えて、より配牌の撹拌効率を高めることができるという効果が得られる。
請求項６の自動麻雀卓の発明によれば、請求項２乃至５に記載の自動麻雀卓において、前記積牌の取り込みに際して、振り分け機構により積牌の取り込みを複数回に分けるようにしたので、請求項２乃至５の発明の効果に加えて、配牌のみならず積牌の撹拌効率を高めることができるという効果が得られる。
請求項７の自動麻雀卓の発明によれは、請求項１乃至６に記載の自動麻雀卓において、前記積牌の取り込みに際しては、必要に応じて、積牌及び配牌を連続取り込みするモードを選択ができるようにしたので、上記の本発明の各撹拌モードは勿論のこと、従来の積牌及び配牌の連続取り込みする撹拌モードも選択ができ、競技者がゲームの様態を広くして楽しむことができるという効果が得られる。
【図面の簡単な説明】
【０００９】
【図１】本発明による自動麻雀卓の実施の形態の一例を概略的に示す斜視図。
【図２】図１に示す自動麻雀卓において使用される牌の構成を示す図。
【図３】天板を取り外した場合の自動麻雀卓本体内の概略平面図。
【図４】図３に示すターンテーブル上の牌を汲み上げるための汲上機構を説明するための平面図。
【図５】図４の斜視図。
【図６】図４に示す円筒回転体の立面図。
【図７】図４に示す円筒回転体の平面図。
【図８】図４に示す進入口開閉機構の斜視図。
【図９】汲上機構の一連の動作について説明するための斜視図。
【図１０】牌が整列機構により整列する動作の一例について説明するための図。
【図１１】牌が整列機構により整列する動作の他の例について説明するための図。
【図１２】図９に示す円盤回転体の正面図と側面図。
【図１３】図９に示す振り分け板を説明するための図。
【図１４】振り分け板が下載置台に向けられているときの牌の移送状態を説明する図。
【図１５】振り分け板が上載置台に向けられているときの牌の移送状態を説明する図。
【図１６】振り分け板が上載置台に向けられているときの牌の移送状態を説明する図。
【図１７】牌反転機構により牌を反転させるときの動作について説明する図。
【図１８】牌反転機構により牌を反転させるときの動作について説明する図。
【図１９】牌反転機構により牌を反転させるときの動作について説明する図。
【図２０】図１９に示す押出機構の載置部の斜視図。
【図２１】押出機構の斜視図。
【図２２】押出機構の立面図。
【図２３】図２２に示す待機台を上下動させるための構成について説明する図。
【図２４】待機機構、昇降台機構、押板機構を駆動させるための構成を説明する平面図。
【図２５】図２２に示す配牌台の回動運動について説明するための図。
【図２６】撹拌の従来モードのタイムチャート表の図。
【図２７】撹拌の実施例１モードのタイムチャート表の図。
【図２８】撹拌の実施例２モードのタイムチャート表の図。
【図２９】配牌台、待機台と昇降台機構、押板機構との概略構成斜視図。
【図３０】図２９に示す昇降台機構の斜視図。
【図３１】昇降台機構の正面図。
【図３２】図３０に示す摺動部材の駆動機構を説明するための説明図。
【図３３】図２９に示す押し板機構について説明するための立面図。
【図３４】自動麻雀卓の制御系統の構成を示すブロック図。
【図３５】２段積牌ブロックの形成、天板上への押し出しについての制御動作を説明するためのフローチャート。
【図３６】懸賞牌を形成した２段積牌ブロックの形成、天板上への押し出しの場合の制御動作を説明するためのフローチャート。
【図３７】配牌ブロック及び２段積牌を天板上に順次押し上げる場合の動作を説明するためのフローチャート。
【図３８】４人用（１３６牌）、懸賞牌なし、配牌なしに設定した場合の自動麻雀卓の動作について説明するための平面図。
【図３９】配牌(１３牌)の配列パターンを示す平面図。
【図４０】懸賞牌を形成した２段積み牌の配列パターンを示す平面図。
【図４１】３人用（１０８牌）の２段積み牌の配列パターンを示す平面図である。
【発明を実施するための形態】
【００１０】
以下、図面を参照して本発明の好適な自動麻雀卓の実施の形態の一例につき詳細に説明する。
図１は、本発明による自動麻雀卓の実施の形態の一例を概略的に示す斜視図である。自動麻雀卓１は、本体２がスタンド３によって支えられており、本体２に設けられた天板４の中央部には牌を落とし込むための牌投入口４Ａが形成されている。牌投入口４Ａは蓋５によって開閉できる構成となっており、蓋５は図示しない開閉機構によって開閉される。本体２の中央に設けられている操作板６のスタートスイッチ６Ａを操作することにより開閉機構が作動して蓋５を下方に移動させ、牌を牌投入口４Ａから下方に落とし込むことができるようになっている。
【００１１】
天板４上であって、牌投入口４Ａと天板４の周縁との間には、配牌用の整列牌（以後、配牌、配牌ブロックと称する）ＢＡ及びプレー開始後にプレーヤが順番に取り込むための牌を２段積みとした２段積み整列牌（以後、２段積牌、積牌ブロックと称する）ＢＢを本体２の内部から天板４の上面に供給するための細長い矩形の４つの牌出口（開口）７Ａ、７Ｂ、７Ｃ、７Ｄが各プレーヤに対向するようにして形成されており、これらの牌出口７Ａ、７Ｂ、７Ｃ、７Ｄは、後述するようにして各ブロックを供給するときだけ開く構成となっている。
【００１２】
図２は、自動麻雀卓１において使用される牌１０の構成を示す図である。牌１０は合成樹脂の成形体として作られており、その内部に磁性体が埋設された構造となっている。本実施の形態においては、この磁性体として磁石１１が用いられており、磁石１１は牌１０の中央部に埋設されている。なお、自動麻雀卓１においては牌は２組用いられ、その一方の組で競技し、他方の組の牌は自動麻雀卓１内で攪拌処理して、配牌ブロックと２段積牌ブロックの２種の整列牌に形成して待機させておく構成となっている。
【００１３】
図１では図示するのを省略しているが、自動麻雀卓１の本体２の下方には、配牌有／無選択スイッチ５５、懸賞牌有／無選択スイッチ５４、撹拌モード選択スイッチ５６、及びゲーム選択スイッチ５２が設けられており、これらのスイッチを適宜に操作して目的に適ったゲームを行うことができるようになっている。また、ゲーム選択スイッチにより、３人用３種類、４人用３種類の計６種類のゲームモードを選択でき、各ゲームモードに対応した配列パターンが適用される。
【００１４】
図３は、自動麻雀卓１の内部機構を説明するための、天板４を取り外した場合の自動麻雀卓１本体２内の概略平面図である。本体２内の中央部分には、落とし込まれた牌を攪拌するための攪拌機構１００が設けられており、本体２の四隅部には、攪拌機構１００によって攪拌された牌を汲み上げるための汲上機構２００がそれぞれ設けられている。
【００１５】
攪拌機構１００は、中央部に対して外側がやや低く形成されている円形状のターンテーブル１０１と、ターンテーブル１０１を囲むように形成された外壁１０２と、一端がそれぞれターンテーブル１０１中心付近に固定された２つの棒状弾性体１０３、１０３と、ターンテーブル１０１の下面側にその周縁に沿って等間隔に設けられた４つの牌反転用磁石１０４と、ターンテーブル駆動機構１０５とを備えて成っている。ターンテーブル１０１の下には歯車１０６が設けられており、ターンテーブル１０１は歯車１０６と同期して回転するように構成されている。
【００１６】
歯車１０６は４つの汲上機構２００の各駆動用歯車２０１とそれぞれ噛み合っている。ターンテーブル駆動機構１０５は４つの駆動用歯車２０１のうちの１つを回転駆動させるため、その駆動用歯車２０１と一体に運動するタイミングプーリ２０２とタイミングベルト２０３を介して連結されている駆動モータ２０４を備えている。したがって、駆動モータ２０４が駆動されるとその回転がタイミングベルト２０３を介してタイミングプーリ２０２に伝達され、駆動用歯車２０１がタイミングプーリ２０２と一体に回転し、駆動用歯車２０１と噛み合っている歯車１０６が回転し、これによりターンテーブル１０１が矢印方向に回転する。
そして、ターンテーブル１０１の回転により、他の３つの駆動用歯車２０１も同時に回転する。図２２には、歯車１０６と駆動用歯車２０１との噛合状態が見えている。
【００１７】
前記汲上機構２００について、図２２を参照すると、駆動用歯車２０１の中心には孔が設けられており、駆動用歯車２０１は該孔内に支持軸２０５が挿通されて回転自在に保持されている。
駆動用歯車２０１の下方においてタイミングプーリ２０２が歯車２０１に固定されている。そして、支持軸２０５に固着されたトルクリミッタ２０６の上部に形成された凸部と駆動用歯車２０１の下方に形成された凹部とが係合するように構成されている。したがって、歯車１０６の回転に伴い駆動用歯車２０１が回転すると、駆動用歯車２０１に係合しているトルクリミッタ２０６が回転しこれにより支持軸２０５が回転する。トルクリミッタ２０６は支持軸２０５に過大な負荷が生じた時の衝撃をやわらげる役目を果たす目的で備えられている。
【００１８】
図３に戻って、ターンテーブル１０１のやや上方には、適度な可撓性を持たせたコイルバネからなる棒状弾性体１０３、１０３が、各一端を中央部の保持体１１２に固定することによって放射状に配設されている。保持体１１２は回転せず静止したままであるから、ターンテーブル１０１が回転すると、牌投入口４Ａ（図１参照）よりターンテーブル１０１上に落とし込まれて山積み状となった牌１０は棒状弾性体１０３により押しやられ、牌１０は棒状弾性体１０３の手前側に集められて攪拌されることになる。この場合、牌１０はターンテーブル１０１の回転力により自ら棒状弾性体１０３を押して屈曲させながら徐々に外壁１０２側に向かって移動していく。
【００１９】
図４及び図５を参照して、ターンテーブル１０１の外壁１０２側に移動した牌を汲み上げるための汲上機構２００について説明する。
汲上機構２００は、前述の如く４つ設けられているが、４つの汲上機構２００は、全く同様に構成されているため、ここでは、そのうちの１つの機構２００について説明する。汲上機構２００は、外壁１０２側に移動してきた牌１０を取り上げるための機構であり、牌１０を磁気力により吸着するための円筒回転体４０１と、円筒回転体駆動機構４０４とを備えて成っている。
【００２０】
先ず、円筒回転体４０１について図６及び図７を参照して説明する。図６は円筒回転体４０１の立面図、図７は円筒回転体４０１の平面図である。円筒回転体４０１は牌１０の縦幅と略等しい長さ（ｌL ）の高さ寸法を有した円筒形状をした樹脂材からなり、一側端から牌の横幅分の長さ（ｌs ）の位置には溝４０１Ａが形成されている。円筒回転体４０１の周面部位には、２カ所等間隔に、平伏牌の面積ほど平に削り落とした吸着面４０１Ｂが形成されており、その中心部には吸着面４０１Ｂから僅かの埋設深さ距離をもって、磁石４０１Ｃが埋設されている。
円筒回転体４０１には、内端縁側にテーパ付けされた比較的幅の狭いフランジ部４０１Ｅが形成されており、フランジ部４０１Ｅは、吸着面４０１Ｂに対応する部分に後端に僅かに傾斜部４０１Ｄを残して前記吸着面４０１Ｂと同面になるような切欠４０１Ｆが形成されている。
【００２１】
再び図４及び図５を参照すると、円筒回転体４０１の中心には回転軸４０５が嵌挿されていて、円筒回転体４０１はこの回転軸４０５に固定されており、この回転軸４０５は円筒回転体４０１を挟む案内部材５０１と反対側に設けた側壁を固定するベース（図示せず）とによって回転自在に支持されている。
【００２２】
円筒回転体４０１が固定されている回転軸４０５にはタイミングプーリ４０５Ａが固定的に取り付けられている。また、駆動用歯車２０１の上方には別の回転軸４０６が設けられており、この回転軸４０６にはタイミングプーリ４０６Ａが固定的に取り付けられている。回転軸４０５のタイミングプーリ４０５Ａと回転軸４０６のタイミングプーリ４０６Ａとはタイミングベルト４０７によって連結されており、回転軸４０６は支持軸２０５とカサ歯車４０８を介して連結されている。ここでは、駆動用歯車２０１が一回転すると円筒回転体４０１が一回転する構成となっている。円筒回転体４０１は、ターンテーブル１０１内を覗くように突出しており、且つ、円筒回転体４０１とターンテーブル１０１との隙間は牌１０の厚さよりやや広い程度になっていて、この間を通過する平伏状の牌１０を円筒回転体４０１に埋設した磁石４０１Ｃ（図６、図７参照）で吸着して牌を汲み上げることができるようになっている。
【００２３】
円筒回転体４０１に埋設した磁石４０１Ｃの極性と、牌１０に埋設した磁石１１の極性との関係は、牌１０が字面を上にした状態で円筒回転体４０１に吸着するように定められている。例えば牌１０の字面側をＳ極とした場合、吸着面４０１Ｂ側がＮ極となるように各磁石が埋設されている。
円筒回転体４０１に上述の如くして吸着された牌１０の汲み上げ許可、禁止の制御を可能とするため、円筒回転体４０１の周面に接近して進入口開閉機構４５０が設けられている。
進入口開閉機構４５０は、牌進入口(ゲート)の閉鎖と開口を司る仕切片４５１を、牌１０の進入を許す開位置又は牌１０の進入を禁止する閉位置に位置決めすることができるようにしたもので、仕切片４５１をリンク機構４５２を介してソレノイド４５３に連結した構成となっている。
【００２４】
図８を参照して進入口開閉機構４５０について説明する。仕切片４５１は板状部材であり、支持軸４５４に揺動自在に取り付けられている（図５参照）。そして、仕切片４５１には仕切片４５１を開閉駆動するためのソレノイド４５３がリンク機構４５２を介して連結されている。図５及び図８に示すように、仕切片４５１の上部にはスリーブ４５５が設けられており、案内部材５０１と反対側に設けた側壁との間に設けた支持軸４５４にスリーブ４５５が挿通することによって仕切片４５１が揺動自在に支持されている。リンク機構４５２の短いリンク４５６の下端４５６Ａは案内部材５０１に回動自在に支持され上端４５６Ｂには支軸４５７が設けられていて、支軸４５７は仕切片４５１内に適当な深さではまっている。ソレノイド４５３のプランジャー４５３Ａにはコイルバネ４５３Ｂが設けられており常に長いリンク４５８を前方に押している。これによりソレノイド４５３に通電すると長いリンク４５８がソレノイド４５３側に引かれて仕切片４５１はソレノイド４５３側に回動し、牌１０の進入を禁止する閉位置に位置決めされる。また、ソレノイド４５３への通電を中止すると長いリンク４５８がコイルバネ４５３Ｂによって前方に押されて仕切片４５１はソレノイド４５３から離れる方向に回動し、牌１０の進入を許可する開位置に位置決めされる。
【００２５】
ここで、図３を参照して牌１０がターンテーブル１０１から汲上機構２００に移動してくるまでの状態について説明する。ターンテーブル１０１の下面に設けた牌反転用磁石１０４の極性は、字面を下にしている平伏牌を反転するように定められている。上述の例で言えば、Ｓ極を上側にして設置される。この牌反転用磁石１０４の作用によって、ターンテーブル１０１の周縁付近を移動する牌のうち、字面を下にしている牌１０はこの牌反転用磁石１０４の頭上において反発力を受けて反転し、字面が上面側となる。
【００２６】
円筒回転体４０１の手前には、ターンテーブル１０１から牌の厚さ分よりやや高く離れた位置に、外壁１０２から内側に向かって突設した湾曲状の障害壁１１３が設けられており、ターンテーブル１０１の周縁を移動している牌１０のうち、平伏牌においては容易に障害壁１１３の下を通過できるようにし、字面を横に向けた状態の立牌は、この障害壁１１３に邪魔されて転倒、又は、立牌状態で湾曲縁に沿って移動するようになっている。そして字面を上にした牌１０は円筒回転体４０１下方に到達するようになっている。
【００２７】
図９を参照してターンテーブル１０１上から牌が汲み上げられる際の汲上機構２００の一連の動作について説明する。円筒回転体４０１の吸着面４０１Ｂがターンテーブル１０１の面と対向している状態のとき、ターンテーブル１０１上に字面を上側にして載っている牌１０が、ターンテーブル１０１と円筒回転体４０１の吸着面４０１Ｂとの間に進入してくると、円筒回転体４０１内の吸着面４０１Ｂ下方に埋設されている磁石４０１Ｃと牌１０内の磁石１１との間に磁気吸引力が働き、牌１０が吸着面４０１Ｂに吸着される。牌１０を吸着面４０１Ｂに吸着した円筒回転体４０１がＸ方向に回転することにより牌１０は汲み上げられる。
汲上機構２００によって汲み上げた牌１０を縦長方向に整列させるための整列機構５００について説明する。整列機構５００は、案内部材５０１と誘導路５０４とを備えて成っている。汲上機構２００によって汲み上げられた牌１０は、案内部材５０１によってその縦長の方向に進行するように向きを変更しつつ誘導路５０４に送り込まれる構成となっている。
【００２８】
図１０及び図１１を参照して、吸着面４０１Ｂに様々な角度にて吸着した牌１０が、整列機構５００により縦長方向に整列する動作について説明する。案内部材５０１の入り口付近で吸着面４０１Ｂからはみ出た側面が、案内部材先端５０２に接触して抵抗を受けるが、牌１０に埋設されている磁石１１の中心が、円筒回転体４０１に埋設されている磁石４０１Ｃの中心に吸引されて回転しながら向きを変え、当該側面が案内部材５０１の内壁面５０１Ａと並行状態になって整列機構５００の内部に進入する。
【００２９】
図１０は牌の長手側面が案内部材先端５０２に接触する様子を示したもので牌１０は縦長の状態で整列機構５００の内部に進入する。この状態で進入した牌１０は案内部材５０１の途中に用意されている切欠５０３を通過して上部に到達する。案内部材５０１の内壁は上部付近にて緩やかに外側に向かっていて、牌１０は向きを外側に向けると共に吸着面４０１Ｂからはみ出していく。牌１０の中心が最高点を通過すると牌１０は下方に向きを変えるがこのとき牌１０の先頭部分は誘導路５０４の入り口付近に到達する。誘導路５０４は両側を案内部材５０１と側壁に囲まれたスロープからなり、図示するようにスロープ先端の一部は溝４０１Ａ内に突出している。案内部材５０１によって吸着面４０１Ｂから外側に逸脱した牌１０の先端はこのスロープ先端を跨ぐようにして誘導路５０４内に進入する。
【００３０】
図１１は牌１０の短手側面が案内部材先端５０２に接触する様子を示したものである。牌１０は短手側面が案内部材先端５０２に接触して図１０の場合と同様に回転するが、牌１０は傾斜部４０１Ｄを跨いだ形で横長の状態になって内部に進入する。このとき牌１０に埋設されている磁石１１の中心が、円筒回転体４０１に埋設されている磁石４０１Ｃの中心より外側に偏っているため、牌１０は内側に吸引力を受け、当該側面は案内部材５０１の内壁面５０１Ａに圧接した状態で整列機構５００の内部に進入する。
牌１０の中心が切欠５０３に到達すると、内壁に当接している側面は抵抗を受けているため牌１０は切欠先端５０５を中心に回転し牌１０の一部は切欠５０３内に進入する。このとき傾斜部４０１Ｄによって僅かに浮き上がっていた牌１０の一端が傾斜部４０１Ｄ上を滑落して牌１０の回転を加速する。なお、傾斜部４０１Ｄは回転を補助するためであって特に設けなくともよい。この状態で牌１０が更に進むと、牌長手側面が切欠後端５０６に接触し、再度回転して長手側面を案内部材５０１の内壁面５０１Ａに当接して前進する。上述の如く、様々な角度で円筒回転体４０１に吸着した牌１０は整列機構５００により一定の向きに制御される。
【００３１】
図４、図５、図９に示されるように、案内部材５０１の頂上付近にて内壁に設けられた孔内には反射型フォトセンサからなる入口センサ４０３が設けられており、牌１０は入口センサ４０３によりその進入が電気的に検知される。そして円筒回転体４０１によって送られてきた牌１０は、円筒回転体４０１の頂上付近において誘導路５０４の一端５０４Ａにより捕捉され、円筒回転体４０１の回転につれて吸着面４０１Ｂより剥離され、下方に向けて傾斜している誘導路５０４に沿って自重によって自然落下し、振り分け機構６００に向けて前進する構成となっている。
誘導路５０４の進行方向の延長上には、一端を回動自在に軸支した可動片６０１とソレノイドからなる牌反転機構６５０が設けられている。牌反転機構６５０は牌１０を反転させるのに使用されるものであり、ソレノイド６２０によって駆動される可動片６０１は通常図示の位置にある。可動片６０１には磁石６０２が埋設されており、字面を下にして落下してくる牌１０は、磁石６０２によって吸引されて可動片６０１上で停止するよう構成されている。牌反転機構６５０の動作については、後述する。
【００３２】
次に、振り分け機構６００について説明する。振り分け機構６００は、整列機構５００より牌反転機構６５０を介して送られてきた牌１０を、後で詳しく説明する載置部７０１の下載置台７０２又は上載置台７０３のいずれかに選択的に送り込むための機構である。振り分け機構６００は、牌を移動させるために必要な円盤回転体６０３とその駆動機構、及び、牌の軌道を制御するための振り分け板６０４とその駆動機構を有している。
【００３３】
図１２を参照して円盤回転体６０３について説明する。円盤回転体６０３は、円筒形の基部６０５を有しており、基部６０５の側面にフランジ状に薄板６０６が形成され、さらに薄板６０６上に基部６０５と同程度の厚さの棒状押し片６０７が等間隔に２個配設されており、基部６０５の中心は支軸４０６（図５参照）に固着されている。
次に、図１３を参照して振り分け板６０４について説明する。振り分け板６０４は、円盤回転体６０３の基部６０５（図１２参照）と同半径の仰木型状基部６０８を備えており、仰木型状基部６０８の一端を延設した平板状基部６０９に、側壁６１０及び上板６１１が図示の如く形成されていると共に、ストッパ６１２が図示の位置に設けられている。基部６０８の中心には孔６１３が形成されており、孔６１３内に支軸４０６（図５参照）を嵌挿し、これにより振り分け板６０４は支軸４０６によって回動自在に支持されている。
【００３４】
ここで、図４も併せて参照すると、円盤回転体６０３の薄板６０６と、振り分け板６０４の側壁６１０との間隔は牌の幅より僅かに広い程度に保持されている。そして振り分け板６０４は、バネ６３０によって常時下側に向けられていると共に、リンク６１５を介してソレノイド６１４に連結しており、ソレノイド６１４を駆動することにより牌の出口を上方向に変更し、前方に配設されている、後述する押出機構７００の載置部７０１の下載置台７０２又は上載置台７０３上のいずれかに牌１０を振り分けて載置することができるように構成されている。
上述の如く構成されている振り分け機構６００による牌の振り分け動作について説明する。図１３には振り分け板６０４が下載置台７０２に向けられているときの状態が示されており、汲み上げ途中の牌１０と誘導路５０４上の牌１０と棒状押し片６０７に後端を押されて移送(移送手段)されている牌１０とが示されている。ここでは、磁石４０１Ｃと棒状押し片６０７との位相関係がほぼ９０度の状態が示されている。
【００３５】
図１４には、図１３において棒状押し片６０７に押されていた牌１０が下載置台７０２に押し込まれたときの状態が示されており、このとき誘導路５０４上にあった牌１０は可動片６０１内の磁石６０２に吸引され、汲み上げ途中であった牌１０は円筒回転体４０１上に汲み上げられている。
図１５及び図１６は振り分け板６０４が上載置台７０３に向けられているときの牌の移送状態を説明するためのものである。図１５において、可動片６０１上にある牌１０は、その後端下側を棒状押し片６０７によって押し上げられるようにして磁石６０２から剥離させられ、振り分け板６０４の平板上基部６０９上に押し出される。そして次に、図１６に示される如く、牌１０は押し片６０７によって平板上基部６０９上で前方に押されて前進し、さらに押し片６０７に押されて牌１０の先端が上載置台７０３上の中心まで進むと、載置部７０１の上部片７０４内にＳ極を下にして埋設されている磁石７０５によって吸引され、上載置台７０３上の所定の位置に載置される。
【００３６】
次に、図１７乃至図１９を参照し、牌反転機構６５０により振り分け機構６００に進入する前に牌１０を反転させる場合の動作について説明する。まず、図１７において、牌１０が円筒回転体４０１により汲み上げられ、牌１０の汲み上げが入口センサ４０３によって検知されると、この検知結果に応答してソレノイド４１０が作動し、仕切片４５１が牌１０の通過を禁止する閉位置とされる。すなわち、牌反転機構６５０により牌１０を反転させる場合には、反転させるべき牌が入口センサ４０３により検出されたことに応答して進入口開閉機構４５０を動作させて仕切片４５１を閉位置に切り換える。このとき、牌反転機構６５０のソレノイド６２０が作動して可動片６０１は図示の位置に後退し誘導路５０４の下方に位置して間隙６１６が形成される。この状態において、仕切片４５１は開位置とされ、牌１０を汲み上げる誘導路５０４を落下滑走してくる牌１０は間隙６１６内に落下する。
【００３７】
図１８は、間隙６１６内に落下した牌１０がストッパ６１２によって受け止められている状態が示されている。図１８に示すようにストッパ６１２は、右肩上りに傾斜していて牌１０が受け止められたときに牌１０が左に傾いた状態で静止するように構成されている。なお、補助的に、振り分け板６０４の仰木型状基部６０８の裏側の適当な位置に磁石を埋設しても良い。
図１９は、ストッパ６１２上に載置されていた牌１０が棒状押し片６０７によって字面１０Ｂを上にした状態で仰木型状基部６０８に沿って移送される様子が示されている。牌１０は字面１０Ｂが上にされた状態で移動されていき、懸賞牌となるものである。この牌１０は、この後、平板状基部６０９上を移動し、下載置台７０２上に載置されるが、牌１０の平板状基部６０９から下載置台７０２への移動については、図１３及び図１４を用いて説明した場合と全く同様であるので、ここでの詳しい説明は省略する。
上述の如くして牌１０は振り分け機構６００から押出機構７００の載置部７０１の下載置台７０２又は上載置台７０３上へ載置される。図４を参照すると、振り分け機構６００によって振り分けられた牌１０は、振り分け機構６００から牌１０の進行方向上に設けられている押出機構７００に移送される。
【００３８】
図２０は押出機構７００の載置部７０１の斜視図、図２１は押出機構７００の斜視図、図２２は押出機構７００の立面図である。図１３、図２０〜図２２を参照して押出機構７００について説明する。
押出機構７００は、載置部７０１と押出部７３０とを備えて成っている。押出機構７００の載置部７０１は牌１０を載置するための下載置台７０２と上載置台７０３とを備えた２層構造部を有しており、下載置台７０２及び上載置台７０３の突き当たりにはストッパとして働く側壁７０６が設けられている。棒状押し片６０７によっていずれの載置台７０２、７０３に押し込まれた牌１０も側壁７０６によって制止されるようになっている。上載置台７０３の上方には、牌１０の厚さ分より若干大きい程度の間隔をあけて上部片７０４が設けられている。このようにして載置部７０１には牌１０を収容するための上部空間７４１と下部空間７４２とが形成されている。
【００３９】
上部空間７４１において、側壁７０６と対向する開口から牌１０が振り分け機構６００により上部空間７４１内に押し込まれてきて上載置台７０３上に載置される。
下部空間７４２においても、同様に、側壁７０６と対向する開口から牌１０が振り分け機構６００により下部空間７４２内に押し込まれてきて下載置台７０２上に載置される。側壁７０６には反射型フォトセンサ７０７及び７０８が設けられており、下載置台７０２上に載置された牌１０は反射型フォトセンサ７０７にて、また上載置台７０３上に載置された牌１０は反射型フォトセンサ７０８にて検知される。
【００４０】
載置部７０１に隣接して牌１０の進入方向に対して左側に押出部７３０が配設されている。押出部７３０は、上側押し込み片７０９及び下側押し込み片７１０を備えており、各押し込み片７０９及び７１０は、Ｌ字状の連結アーム７１２の一端に上部空間７４１及び下部空間７４２にそれぞれ対向するように取り付けられており、連結アーム７１２の他端は摺動片７１１に連結されている。摺動片７１１は水平に保持された支持棒７１３に水平摺動自在に嵌挿されており、一方、連結アーム７１２の下側にはコロ７１４があって連結アーム７１２の水平運動を保持すると共に、図２２に示すように各押し込み片７０９、７１０が取り付けられている連結アーム７１２の一端は、載置部７０１に水平に保持された支持棒７１２Ａに挿通されていて、押し込み片７０９、７１０の横振れを抑止している。（図９参照）。
【００４１】
ここで図４も併せて参照すると、駆動用歯車２０１の上方には２つのコロ７１５を等間隔に配設した回転板７１６が支軸２０５に固着されており、一方、摺動片７１１の下方には当て板７１７が突設形成されていて、コロ７１５が矢印の向きに回転して当て板７１７に当接している間、摺動片７１１は点線で示す位置に前進する。摺動片７１１の上部には戻しバネ７１８があって、コロ７１５が当て板７１７からはずれると同時に摺動片７１１は元位置に後退する。コロ７１５と棒状押し片６０７の位相関係は棒状押し片６０７が下載置台７０２上に牌１０を押し込んだ直後にその棒状押し片６０７がほぼ水平になった時に、コロ７１５が当て板７１７に当接するように構成されている。
【００４２】
押出機構７００は上述の如く構成されているので、上載置台７０３上に載置された牌１０は、上載置台７０３上に押し込まれた直後に、上側押し込み片７０９がＸ方向（図２２参照）に水平移動して点線で示す位置まで前進するので、上載置台７０３上の上部空間７４１内から脱出して押出機構７００から押し出される。牌１０が下部空間７４２内の下載置台７０２上に載置された場合には、牌１０が下載置台７０２上に押し込まれた直後に下側押込片７１０がＸ方向に水平移動して点線で示す位置まで前進するので、下載置台７０２上の下部空間７４２内から脱出して押出機構７００から押し出されるようになっている。
【００４３】
図２２に示されているように、押出機構７００から押し出された牌１０を順次受け取って整列させるため、押出機構７００の牌１０の押し出し側で、載置部７０１を挟みその反対側には、待機機構８００が設けられている。
図２２を参照して待機機構８００について説明する。待機機構８００は、載置部７０１に一旦載置された牌１０が押出部７３０によって押し出されたときに、この押し出された牌１０を受け取って順次１段又は２段に整列させていき、これにより所要の配牌ブロック又は２段積牌ブロックを形成して待機させておくための機構である。待機機構８００は１段積の配牌ブロックが形成される配牌台８０１及び２段積牌ブロックが形成される待機台８０２とを備えて成っており、待機台８０２は後述する駆動機構に連結されている。待機台８０２が原点位置（通常位置）にある時には、待機台８０２は下載置台７０２と同一レベル、又は僅かに低いレベルにある。一方、配牌台８０１は後述する駆動機構に連結しており、配牌台８０１が原点位置（通常位置）にあるときには、配牌台８０１は上載置台７０３と同一レベル、又は僅かに低いレベルに静止している。
【００４４】
[撹拌の従来モード（２段積みの積牌、１３牌の配牌モード）]  
ここで、自動麻雀卓１の本体２の下方の撹拌モード選択スイッチ５６を従来モードに選択する場合、すなわち、従来の２段積みの積牌、１３牌の配牌モードについて説明する。
押出機構７００の下載置台７０２上に振り分け載置された牌１０は下側押し込み片７１０によって押し出されて下載置台７０２に隣接する待機台８０２上に移動する。そして次の牌１０が下載置台７０２上に載置され下側押し込み片７１０によって押し出されてくると、先に待機台８０２上に載せられていた牌１０は次の牌１０に押圧され、図２２のＸ方向である下側押し込み片７１０の押出方向に牌１つ分だけ進む。上述の動作が所要の回数繰り返し行われることにより、下載置台７０２上に振り分け載置された牌１０が待機台８０２上に、先ず、所要の数だけ一段に整列される。
【００４５】
このようにして一段目の整列が終了すると、待機台８０２は牌１０の厚さ分だけ下降し、その後一段目の牌１０の上に上述と全く同様にして２段目に整列させるための牌１０が下載置台７０２から下側押し込み片７１０により順次押し出される。一段目の牌１０の上に載せられた牌１０は、隣り合って押圧してくる牌１０により一段目の牌上を下側押し込み片７１０の押出方向に移動する。この動作が所要の回数繰り返されて一段目の牌１０上に二段目の牌１０が整列され、これにより所要の２段積牌ブロックが形成される。
ただし、この従来モードでは、この二段目の積牌の整列は、後述する１３牌の配牌が整列させた後に行う。
【００４６】
一方、上載置台７０３上に振り分け載置された牌１０は、上側押し込み片７０９によって押し出されて配牌台８０１上に移動する。そして次の牌１０が上載置台７０３上に載置され上側押し込み片７０９によって押し出されると、先に配牌台８０１の上に載せられていた牌１０は、次に押し出されてきた牌１０によって押圧され、上側押込片７０９の押出方向に牌１つ分だけ移動する。この動作が所要の回数繰り返し行われることにより、上載置台７０３上に振り分け載置された牌１０は配牌台８０１上に整列され、所要の数の牌が１段１列の状態で形成され、これにより所要の配牌ブロックが形成される。以上の説明から判るように、振り分け機構６００及び押出機構７００によって、整列機構５００から送り出される牌１０を配牌台８０１（第１の台）上又は待機台８０２（第２の台）上のいずれか一方に送給するための選択送給機構を構成している。
上述した待機台８０２は、押出機構７００から牌を受け取るためだけでなく、待機台８０２上に形成された２段積牌ブロックを後述する昇降台９０１に移載させるため、上下動するようになっている。また、配牌台８０１は、待機台８０２が上方へ移動する場合に、待機台８０２の上方への移動を邪魔することがないように回動運動を行うように構成されている。
【００４７】
図２３、図２４を参照して待機台８０２を上下動させるための構成について説明する。待機台８０２は下面２カ所において直方体状の保持部材８０３に固定されており、この保持部材８０３の中央に設けたガイド孔がベース板１１５に垂直に立てられた支持軸８０４に嵌挿されており、これにより保持部材８０３は待機台８０２を上下摺動自在に支持する。保持部材８０３の下方側面には横溝８０５が形成されており、この横溝８０５には、アーム８０６の一端に設けたコロ８０７が嵌合している。
【００４８】
アーム８０６はベース板１１５をコ字状に折り曲げた側板８４０上に設けた固定軸８０８に回動自在に支持されていると共に付勢バネ８０９によって下方に付勢されている。アーム８０６の上方には、ベース板１１５の側板を貫通して回転自在に支持されているカム軸８１０が設けられている。アーム８０６のもう一方の端にはコロ８１１が設けられており、コロ８１１はカム軸８１０上に配設されたカム８１２に当接するように設けられている。
カム軸８１０は歯車８１３、８１４を介して駆動モータ８１５に連結しており、駆動モータ８１５を起動してカム軸８１０を一回転させると、待機台８０２は図で点線と実線とで示される間を１回上下運動を行う。また、カム軸８１０の一方の端には回転角を検出して駆動モータ８１５を停止制御するために、切欠を有したセンサ板８１６とフォトインタラプタ８１８ａ〜８１８ｃが配設されていて、この３組のセンサにより検出されたカム軸８１０の回転角に応じて待機台８０２の原点位置、下降位置、及び上昇位置が検出される。
【００４９】
次に、図２４及び図２５を参照して配牌台８０１の回動運動について説明する。配牌台８０１はベース板１１５の側板８４０に設けた固定軸８２０によって回動自在に支持されたアーム８２１の先端に固定されている。アーム８２１はバネ８２３によってばね付勢されている。アーム８２１のもう一方の端にはコロ８２２があり、カム軸８１０上に設けたカム８１２に当接していて、カム軸８１０を矢印の方向に一回転すると配牌台８０１は点線と実線で示される位置の間を回動して往復動する。
【００５０】
このようにして待機台８０２の垂直往復動と、配牌台８０１の回転往復動とを一本のカム軸８１０の一回転によって行うもので、カム軸８１０とカム８１２との関係について以下に説明する。
カム軸８１０が原点位置にあるとき、待機台８０２は前述したように下載置台７０２の高さにあり、また、配牌台８０１は上載置台７０３の高さ位置にある。待機台８０２上に１段目（下段）の整列牌が形成されると駆動モータ８１５を起動してカム軸８１０を矢印の向きに回転させ、待機台８０２を下降させる。配牌台８０１は下降位置を維持する。待機台８０２が牌１個分下降した下降位置にてフォトインタラプタ８１８ｂはセンサ板８１６の切欠の開始端を検出して駆動モータ８１５を停止する。この状態にて待機台８０２上に２段目（上段）の整列牌が形成されるが、後述する１３牌の配牌が配牌台８０１上に整列させるとともに、待機台８０２上には２段積み牌が形成される。
【００５１】
以上の説明から判るように、振り分け機構６００、押出機構７００及び待機機構８００によって、整列機構５００から送り出される牌１０を第１の台である配牌台８０１上に配牌ブロックとして形成してそこに待機させ、整列機構５００から送り出される牌１０を第２の台である待機台８０２上に２段積牌ブロックとして形成してそこに待機させておくためのブロック形成・待機機構が構成されている。
【００５２】
［撹拌の従来モード］
この操作の制御系は、図２６の[従来モード]のタイムチャートの表に示すように、１ゲーム（場、競技)内で、進入口開閉機構４５０において、牌進入ゲートの閉鎖と開口を司る仕切片４５１が入口センサ４０３のカウントによりソレノイド４５３により開閉され、二段内の待機台８０２上に１段目（下段）に１７牌の積牌が整列され、次に、配牌の１３牌が配牌台８０１上に配牌が整列され、最後に、二段の待機台８０３上の２段目（上段）に１７牌の積牌が整列される。
これを、図２６に沿って詳しく説明すると、先ず図２６のタイムチャート表(１)のドラのない１７牌の積牌を形成する場は、この場合には２カ所が該当するが、この場合での整列牌の形成順序を説明する。最初に、二段積みの下段の積牌をそれぞれの場の載置部７０１の下載置台７０２に、進入口開閉機構４５０の仕切片４５１を開口して、積牌１段(下段)を連続して１７牌取り込み、入口センサ４０３がこれを検出し、配牌取り込み体制に移行させるとともに、待機台８０２上の下段に整列させる。次に、仕切片４５１を３秒間程度閉鎖するが、これは、牌取り込みの切り替えがスムースに行えるようにするためで、３秒間とは牌を入口センサ４０３（カウントセンサ）で検知してから、待機台８０２に移動するための所要時間と同じとするためである。そして、仕切片４５１を開口して配牌を載置部７０１のその場の上載置台７０３に連続して１３牌を取り込み、更にその場の配牌台８０１上に整列させるとともに、入口センサ４０３が配牌取り込みを検出し、仕切片４５１を３秒間程度閉鎖する。次に、二段積みの上段の積牌取り込み体制に移行し、最後に、二段積みの上段の積牌を載置部７０１の下載置台７０２に、積牌２段(上段)を連続して１７牌取り込み、更に、待機台８０２上の上段に整列させる。
なお、以下の図２６乃至２８で配牌や積牌の取り込み切り替え時には、仕切片４５１が一時閉鎖し、この期間を便宜的に３秒と表記したが、牌を入口センサ４０３（カウントセンサ）で検知してから、待機台８０２に移動するための所要時間と同じとして、この間の牌の進入を阻止するためであるから、機構の移動距離に応じて３秒より短くしても、長くしてもよい。
【００５３】
同時に、図２６のタイムチャートの表(２)ドラのある場で、例えば、乱数表から選択させた整列牌の所謂割れ目が８牌目であったとすると、この場合のでの整列牌の形成順序を説明する。 最初に、二段積みの下段の積牌をその場の載置部７０１の下載置台７０２に、進入口開閉機構４５０の仕切片４５１を開口して、積牌１段(下段)を連続して９牌取り込み、更に、待機台８０２上の下段に整列させる。次に、配牌を載置部７０１の上載置台７０３に連続して１３牌と懸賞牌を反転させて取り込み、更に配牌台８０１上に整列させる。最後に、二段積みの上段の積牌をその場の載置部７０１の下載置台７０２に、積牌２段(上段)を連続して７牌取り込み、更に、待機台８０２上の上段に整列させる。
同様に、図２６の表(３)積牌のなく１３牌の配牌だけの場での整列牌の形成順序を説明するが、この場合は、図２６の前（１）項での積牌１段（下段）の整列が終了した時点で、配牌を載置部７０１のその場の上載置台７０３に連続して１３牌を取り込み、更にその場の配牌台８０１上に整列させる。
【００５４】
この従来モードでの配牌まで自動的に形成する機構では、競技終了後に牌投入口４Ａが開いて、牌１０が麻雀卓本体内のターンテーブル１０１上に落下してランダムになるように撹拌されるが、大きく撹拌されずに同じ周回上に集まり易く、この状態でターンテーブル１０１から牌を取り上げる汲上機構２００によって整列牌を形成する場合に、取り込みタイミング時に続けて取り込まれると、牌の種類が偏る可能性が高くなり、特に、配牌の整列形成時に起こると大きな役がでやすくなるが、連続して牌を取り込むために、作業時間が短くて済むという利点がある。
【００５５】
[撹拌の実施例１モード]
前述の従来モードでは、取り込みタイミング時に続けて取り込み、牌の種類が偏る可能性が高くなり、特に、配牌の整列形成時に起こると大きな役が成立しやすくなるので、これを解消するために、旧来からの手作業で積牌や配牌を形成をする場合に近似させ、従来の自動麻雀卓の整列牌よりも、より牌の種類を分散させランダムに整列牌を形成させたのが実施例１モードである。
この操作の制御系は、図２７の[実施例１の撹拌モード]を説明するが、図２７にタイムチャートの表に示すように、進入口開閉機構４５０において、牌進入ゲートの閉鎖と開口を司る仕切片４５１が入口センサ４０３のカウントによりソレノイド４５３により開閉され、二段内の待機台８０２上に積牌１段（下段）に１７牌を９牌と８牌に分けて整列され、その分ける間に、配牌の１３牌の４牌、３牌を、８牌の積牌の後に３牌、３牌と分けて配牌台８０１上に配牌が整列され、最後に、二段内の待機台８０３上に２段目（上段）に１７牌の積牌が連続して整列される。つまり、積牌と配牌を細かく前半に取り込み整列するモードである。
【００５６】
これを、図２７に沿って詳しく説明すると、先ず、図２７のタイムチャートの表(１)ドラのない１７牌の積牌を形成する場（２カ所が該当する）での整列牌の形成順序を説明する。最初に、二段積みの下段の積牌をそれぞれの場の載置部７０１の下載置台７０２に、進入口開閉機構４５０の仕切片４５１を開口して、積牌１段(下段)を連続して９牌取り込み、待機台８０２上の下段に整列させる。次に、配牌を載置部７０１のその場の上載置台７０３に、４牌取り込んでから仕切片４５１を閉鎖し、ターンテーブル１０１上の牌１０の数個が仕切片４５１を通りすぎる４秒程度経過してから、３牌を取り込み、更に配牌台８０１上にこれら７牌を整列させる。そこで、再び、積牌１段(下段)を連続して８牌取り込んで合計１７牌として、待機台８０２上の下段に整列させる。
ここで、再び、配牌についても載置部７０１の上載置台７０３に、３牌取り込んでから仕切片４５１を閉鎖し、ターンテーブル１０１上の牌１０が数個が仕切片４５１を下流に通りすぎ４秒程度経過してから、３牌を取り込み、更にその場の配牌台８０１上に合計１３牌を整列させる。
最後に、二段積みの上段の積牌を載置部７０１の下載置台７０２に、積牌２段(上段)を連続して１７牌取り込み、更に、待機台８０２上の上段に整列させる。
【００５７】
同時に図２７のタイムチャートの表(２)ドラのある場で、例えば、[従来モード]と同様に、整列牌の割れ目が８牌目であったとすると、この場合での整列牌の形成順序を説明する。 最初に、二段積みの下段の積牌をその場の載置部７０１の下載置台７０２に、進入口開閉機構４５０の仕切片４５１が開口して、積牌１段(下段)を連続して５牌取り込み、待機台８０２上の下段に整列させる。次に、配牌を載置部７０１の上載置台７０３に連続して４牌と懸賞牌を反転させて取り込み、仕切片４５１を閉鎖し、ターンテーブル１０１上の牌１０の数個が仕切片４５１を通りすぎる４秒程度経過してから、３牌を取り込み、配牌台８０１上にこれら７牌を整列させる。ここで再び積牌１段(下段)を連続して４牌取り込み、待機台８０２上の下段に合計９牌を整列させ、配牌についても、再び、載置部７０１の上載置台７０３に、３牌取り込んでから仕切片４５１を閉鎖し、ターンテーブル１０１上の牌１０が数個が仕切片４５１を下流に通りすぎ４秒程度経過してから、３牌を取り込み、更にその場の配牌台８０１上に合計１３牌を整列させる。
最後に、二段積みの上段の積牌をその場の載置部７０１の下載置台７０２に、積牌２段(上段)を連続して７牌取り込み、更に、待機台８０２上の上段に整列させる。
勿論、乱数表から、割れ目が８牌目以外に２〜１２牌目になる場合が出現するが、この場合にも整列牌の形成は適宜に分けて、例えば、６牌目であれば、３牌、３牌、或いは、４牌、２牌、又は、５牌、１牌のように、なるべく撹拌が十分になるように適宜に分けて取り込むようにすればよい。
【００５８】
同様に、図２７のタイムチャートの表(３)積牌がなく１３牌の配牌だけの場での整列牌の形成順序を説明するが、この場合は、前（１）項での積牌１段（下段）の整列が終了した時点で、図２７の前（１）項の説明のように、配牌整列と同様に配牌を載置部７０１のその場の上載置台７０３に、４牌取り込んでから仕切片４５１を閉鎖し、ターンテーブル１０１上の牌１０の数個が仕切片４５１を通りすぎる４秒程度経過してから、３牌を取り込み、更に配牌台８０１上にこれら７牌を整列させ、前（１）項で積牌１段の８牌を取り込んだ後に、３牌取り込んでから仕切片４５１を４秒程度閉鎖し、３牌を取り込んで配牌台８０１上に合計１３牌を整列させる。
このように、回転するターンテーブル１０１からの配牌の取込みに際し、１３牌を連続取り込みではなく、小刻みに４秒間(請求項での所定時間)を時間を空けて取り込んで牌の撹拌が進むようにしているが、間隔が進むのであれば４秒間に限定する必要はなく、これより長くても、短くてもよい。一度に連続して取込む牌を(請求項での所定数の牌)、４牌,３牌,３牌,３牌でとしたが撹拌が進むのであればこれに限定する必要はない。
また、前述したように、配牌取り込みから積牌取り込みの切り替えの際には仕切片４５１を３秒間程度閉鎖するが、この閉鎖時期が配牌取り込み時であれば、これも撹拌向上に寄与することになる。実施例２でも、配牌の取り込みの途中に、仕切片４５１の閉鎖の他に、汲上機構２００と連動する配牌と積牌を整列する振り分け機構６００により、積牌の取込み作業時間を挿入して、配牌の取り込みを中断するようにしており、配牌の取込みに際し、所定時間の仕切片の閉鎖に加えて、機構６００によって積牌の取込み操作を挿入して、配牌の取り込みを分断してより撹拌を進めるようにしている。
なお、この仕切片４５１は待機台８０２を下げたりする動作時にも閉鎖するが、牌を反転してドラ牌を表示にする作動時にも閉鎖する。 
【００５９】
[撹拌の実施例２モード]
前述の実施例２モードでは、旧来からの手作業で積牌や配牌を形成をする場合に近似させ、実施例１とは異なる操作で、主に積牌と配牌を細かく後半に取り込み整列するモードである。
これを、図２８に沿って詳しく説明すると、先ず、図２８のタイムチャートの表(１)ドラのない１７牌の積牌を形成する場（２カ所が該当する）での整列牌の形成順序を説明する。
最初に、二段積みの上段の積牌をそれぞれの場の載置部７０１の下載置台７０２に、進入口開閉機構４５０の仕切片４５１を開口して、積牌２段(上段)を連続して１７牌取り込み、待機台８０２上の上段に整列させる。次に、配牌を載置部７０１のその場の上載置台７０３に、４牌取り込んでから仕切片４５１を閉鎖し、ターンテーブル１０１上の牌１０の数個が仕切片４５１を通りすぎる４秒程度経過してから、３牌を取り込み、更に配牌台８０１上にこれら７牌を整列させる。
そこで、積牌１段(下段)を連続して９牌を取り込み、待機台８０２上の下段に整列させ、ここで、再び、配牌についても載置部７０１の上載置台７０３に、３牌取り込んでから仕切片４５１を閉鎖し、ターンテーブル１０１上の牌１０が数個が仕切片４５１を下流に通りすぎ４秒程度経過してから、３牌を取り込み、更にその場の配牌台８０１上に合計１３牌を整列させ、最後に、二段積みの下段の積牌を載置部７０１の下載置台７０２に、積牌１段(下段)を連続して８牌取り込みで合計１７牌を待機台８０２上の上段に整列させる。
【００６０】
同時に、図２８のタイムチャートの表(２)ドラのある場で、例えば、[従来モード]と同様に、整列牌の割れ目が８牌目であったとすると、この場合のでの整列牌の形成順序を説明する。 最初に、二段積みの下段の積牌をその場の載置部７０１の下載置台７０２に、進入口開閉機構４５０の仕切片４５１が開口して、積牌１段(下段)を連続して９牌取り込み、待機台８０２上の下段に整列させる。次に、配牌を載置部７０１の上載置台７０３に連続して４牌と懸賞牌を反転させて取り込み、仕切片４５１を閉鎖し、ターンテーブル１０１上の牌１０の数個が仕切片４５１を通りすぎる４秒程度経過してから、３牌を取り込み、配牌台８０１上にこれら７牌を整列させる。ここで積牌２段(上段)を４牌取り込み待機台８０２上で整列させ、再び、配牌を載置部７０１の上載置台７０３に、３牌取り込んでから仕切片４５１を閉鎖し、ターンテーブル１０１上の牌１０の数個が仕切片４５１を通りすぎる４秒程度経過してから、３牌を取り込み、配牌台８０１上に合計１３牌を整列させる。
最後に、二段積みの上段の積牌をその場の載置部７０１の下載置台７０２に、積牌２段(上段)を３牌取り込み、合計１３牌を待機台８０２上の上段に整列させる。
【００６１】
同様に、図２８のタイムチャートの表(３)積牌が無い１３牌の配牌だけの場での整列牌の形成順序を説明するが、この場合は、図２８の前（１）項で説明での積牌１段（下段）の整列が終了した時点で、配牌を載置部７０１のその場の上載置台７０３に、図２８の前（１）項の配牌整列と同様に配牌を載置部７０１のその場の上載置台７０３に、４牌取り込んでから仕切片４５１を閉鎖し、ターンテーブル１０１上の牌１０の数個が仕切片４５１を通りすぎる４秒程度経過してから、３牌を取り込み、配牌台８０１上にこれら７牌を整列させ、（１）で積牌１段の９牌を取り込んだ後に、３牌取り込んでから仕切片４５１を４秒程度閉鎖し、３牌を取り込んで配牌台８０１上に合計１３牌を整列させる。
【００６２】
[撹拌の実施例３モード]
実施例３モードは図示しないが、上述した主に積牌と配牌を細かく前半に取り込み整列する撹拌実施例１モードと、主に積牌と配牌を細かく後半に取り込み整列する撹拌実施例２モードとを適宜組み合わせて、撹拌効率を高めるようにすればよく、具体的には各モードの場(１)(２)(３)を適宜入れ替えるようにしてもよい。要は、牌１０の撹拌効率を高めるとともに、作業完了時間をできるだけ短くなるようにすればよい。
上記各実施例の配牌の小刻する取り込みは、４牌→３牌→３牌→３牌の４回としたが、撹拌効率が高まるように通常４牌以下であればよく、例えば、撹拌効率が高まるのであれば、適宜に３牌→３牌→４牌→３牌でもよく、２牌→３牌→２牌→３牌→３牌の５回としてもよく、逆に、取り込み回数は２回或いは３回程度にしてもよい。ただし、２回や３回では配牌としての撹拌効率は従来よりは高いが４回以上に比べれば若干劣る。
また、積牌の取り込みは、１７牌を連続して取り込んでもよいが、実施例のように９牌と８牌に分けることが好ましく、更に、３回以上に分けてもよいが、装置の保守や稼働時間を考慮して適宜決めればよい。
更に、積牌については、１段目の半分から取り込み開始(前半取込モード)と、２段目の最初から取り込み開始(後半取込みモード)の２パターンがあるが、前半か後半かに片寄る必要はない。配牌の取込み開始も積牌の半分９牌を取込み後に、配牌を４牌，仕切片451（ゲート）を４秒閉鎖，３牌取込み、続いて積牌（残り８牌）を取込み後に、再び配牌を３牌，４秒閉鎖，３牌取込んで完了するが、各場の取り込みはランダムに行うようにすればよい。また、積牌と配牌の取込は上記以外でも撹拌が進むように複数回に分けて交互に行うようにすればよい。
また、本発明の特徴の１つは、配牌の取り込みを複数回に分けて、撹拌をより進めることにあるので、進入口開閉機構４５０の配牌取込みを小分けする仕切片４５１には依らず、配牌の形成時に振り分け機構６００により積牌の取込み操作を挿入して、１ゲーム内で配牌の取り込みを中断するようにし、配牌の取り込みを複数回に分けるようにしてもよい。
もっとも、前述したように、配牌取り込みから積牌取り込みへの切り替えの際には仕切片４５１を３秒間程度閉鎖する。これは、牌取り込みの切り替えがスムースに行えるようにするためで、ここで、３秒間とは牌を入口センサ４０３（カウントセンサ）で検知してから、牌が待機台８０２に移動するための所要時間とは牌の進入を阻止するためである。
【００６３】
このようにして、選択された[従来の撹拌モード][実施例１〜３の撹拌モード]の各モードに対応して、配牌台８０１上に形成されて待機している配牌ブロックと、待機台８０２上に形成されて待機している２段積牌ブロックとは、移載機構として働く押し板機構１０００により選択的に昇降機構９００の昇降台９０１上に移載される構成となっている。
図３から判るように、上述の如く動作する配牌台８０１、待機台８０２上に形成された配牌ブロック、又は２段積牌ブロックを受け取り天板４上のレベルまで上昇させるため、配牌台８０１、待機台８０２の近傍に昇降台機構９００、及び押板機構１０００が設けられている。図２６も併せて参照すると、配牌台８０１、待機台８０２と昇降台機構９００、押板機構１０００との概略構成図が示されている。
【００６４】
図２９には、配牌台８０１及び待機台８０２に牌ブロックがいずれも形成されていない場合の状態が示されている。配牌台８０１、待機台８０２の本体２の中心側には上下動する昇降台９０１が設けられており、配牌台８０１の本体２の周縁側には、前後に水平移動する押し板１００４を含む押板機構１０００が設けられている。
【００６５】
図３０は昇降台機構９００の斜視図、図３１は昇降台機構９００の正面図である。図２４、図３０、図３１を参照して昇降台機構９００について説明する。Ｌ字状の昇降台９０１のほぼ中央には保持部材９０２が固定されている。保持部材９０２にはガイド孔が設けられており、このガイド孔にはベース板１１５に垂直に固定された支軸９０３が挿通されているので、保持部材９０２及び昇降台９０１は支軸９０３に沿って上下に運動することができる。保持部材９０２とベース板１１５の間には引張りバネ９０４が設けられており、引張りバネ９０４により昇降台９０１は常にベース板１１５に向かう方向に付勢されている。
【００６６】
保持部材９０２の下方には、支軸９０３に嵌挿して摺動部材９０６が設けられており、摺動部材９０６の背面には左右対称に長穴溝９０５が形成され、摺動部材９０６の一方の側面には前後方向に横溝９６４が形成されている。摺動部材９０６の両側には、それぞれ先端にコロ９０７を配したアーム９０８が保持部材９０９に固定され、この保持部材９０９は固定ピン９１０によって回動自在に支持されている。保持部材９０９先端のコロ９１１は摺動部材９０６の長穴溝９０５に勘合して設けられており、摺動部材９０６を上下させるとこれに連動して昇降台９０１は上下に運動することができるようになっている。
【００６７】
図３２は摺動部材９０６の駆動機構を説明するための説明図である。図２４及び図３２を参照して摺動部材９０６の駆動機構について説明すると、この駆動機構は、摺動部材９０６に隣接して設けたコ字状板金９６０上に設けられており、コ字状板金９６０の側面にはカム軸１０１０が回転自在に保持されている。このカム軸の一端は駆動モータ９１２に直結して設けられており、カム軸１０１０上には昇降台駆動用カム１０１１が配設されている。
昇降台駆動用カム１０１１の下方にはアーム９６１が板金９６０の側面間に設けた保持軸１００７によって回動自在に保持されている。アーム９６１の先端にはコロ９６２が、また、中間にはコロ９６３が設けられており、コロ９６２は横溝９６４に嵌合し、コロ９６３はカム１０１１に当接されている。カム軸１０１０の他端には、切欠を有したセンサ板９６５が設けられており、フォトインタラプタ９６６によって切欠が検出されて駆動モータ９１２が一回転制御される。摺動部材９０６は駆動モータ９１２により上下運動するよう構成されており、摺動部材９０６の上下動に連動して昇降台９０１も上下運動を行う。
【００６８】
図３３は、上述の如く構成されている昇降台機構９００の昇降台９０１上に、配牌台８０１に形成された配牌ブロック、又は待機台８０２上に形成された２段積牌ブロックを押し出して移動させるための押し板機構１０００について説明するための立面図であり、図２４、図３３を参照して押し板機構１０００ついて説明する。
コ字状の固定板１００１はベース板１１５の側面８４０上方にて固定されている（図２９参照）。この固定板１００１には図３に示すように一対の支持軸１０５１が設けられている。この一対の支持軸１０５１に縦溝１００２を有する摺動片１００３が水平往復動自在に嵌挿されている。断面Ｌ字状の押し板１００４は、図２９にて示される如く上面中央部がＴ字状に突設形成されており、この突設された部位を摺動片１００３に固定すると共に、両側には押し板１００４と固定板１００１との間に一対の付勢バネ１００５、１００５が設けられている。
【００６９】
アーム１００６は保持軸１００７に回動自在に保持されており、一端にはコロ１００８が設けられ、コロ１００８は摺動片１００３に形成されている縦溝１００２に当接して設けられている。アーム１００６の他端に設けられたコロ１００９は、カム軸１０１０上にカム１０１１に隣接して設けたカム１０１２に当接されている。そして、前述した駆動モータ９１２を一回転すると、押し板１００４は点線で示される位置と実線で示される位置との間で１回の水平往復運動を行う。
【００７０】
このようにして昇降台９０１の垂直往復動と、押し板１００４の水平往復動とを一本のカム軸１０１０の一回転によって行うものであって、昇降台駆動用カム１０１１とカム１０１２との関係は、駆動モータ９１２を起動して天板４の高さ位置にある昇降台９０１を所定の下降位置にまで下降させ、この状態で後退位置にある押し板１００４を前進させて整列牌を移載し、移載が終了して押し板１００４が後退を開始した時点で、昇降台９０１を上昇して整列牌を天板上に押し出し、昇降台９０１が天板４の位置に、また、押し板１００４が後退位置に達した時に駆動モータ９１２が停止するように構成されている。
【００７１】
待機機構８００、昇降台機構９００、押し板機構１０００は上述の如く動作するよう構成されており、図２３〜図２５を参照して配牌台８０１上の配牌が天板４上に移動してから待機台８０２上の２段積み牌が天板４上の高さ位置に上昇する際の動作について説明する。まず、駆動モータ９１２を一回転して昇降台９０１と押し板１００４を駆動し、配牌台８０１上の配牌を天板４上に押し出すと、
駆動モータ８１５が起動してカム軸８１０が矢印の方向に回転する。
【００７２】
カム軸８１０の回転により、配牌台８０１が図中に点線で示される位置まで後退してその状態を維持し、この間、所定の下降位置にある待機台８０２が上昇を開始する。待機台８０２が昇降台９０１の下降位置の高さ位置まで上昇するとフォトインタラプタ８１８ｃはセンサ板８１６の切欠を検出し、この検出に応じて駆動モータ８１５が停止する。
この状態で再び駆動モータ９１２が一回転して昇降台９０１と押し板１００４が駆動され、２段積み牌が天板４上に押し出される。カム軸１０１０が原点位置に復帰した後、再度、駆動モータ８１５が回転すると、この回転により待機台８０２は下降を開始する。
【００７３】
待機台８０２が配牌台８０１の移動軌跡上からはずれた時点で配牌台８０１は原点位置への復帰動作を開始し、配牌台８０１及び待機台８０２が原点位置に復帰した位置にてフォトインタラプタ８１８ａがセンサ板８１６の切欠を検出し、この検出に応じて駆動モータ８１５が停止する。なお、当然のことながら、配牌を行わない場合は、配牌の移載・上昇動作は行われない。
【００７４】
図３４は、自動麻雀卓１の制御系統の構成を示すブロック図である。自動麻雀卓１には、操作用の各種スイッチ、及び牌１０の位置や各部材の位置等を検出するためのセンサからの出力に応答し、各種部材を駆動するためのソレノイド又はモータを制御して所要の作動を行わせるための制御演算を実行するための演算装置３０が設けられている。演算装置３０はマイクロコンピュータを用いたデータ処理装置として構成されていて、上述した各種制御動作を実行させるために必要な各種制御プログラムが予め格納されている。
自動麻雀卓１には、上述した牌１０の汲み上げから配牌ブロック及び２段積牌ブロックを形成して天板上に持ち上げるまでの一連の機構が東、南、西、北の各場にそれぞれ１組づつ設けられている。図３４では、東の場について、２つの入出力インターフェイス４１、４２を用いて各種の入出力情報を演算装置３０に入出力する詳細構成が示されているが、その他の各場についても同様である。
【００７５】
牌進入ゲートの閉鎖と開口を司る仕切片４５１を回動するためのソレノイド４５３、入口センサ４０３、反転機構用のソレノイド６２０、振り分け板用のソレノイド６１４、上下載置台に設けられている反射型フォトセンサ７０７、７０８はインターフェイス４１を介して演算装置３０と接続されている。
ここで、牌１０の取り込みを[従来の撹拌モード][実施例１〜３の撹拌モード]の指令は、各場において、進入口開閉機構４５０の入口センサ４０３で進入した牌をカウントするとともに、この検出値を図３４の演算装置３０に送り、演算装置３０では対応する作動プログラムが組み込まれており、設定された撹拌モード選択スイッチ５６で選択された選択モードに従い、前述した図２６〜図２８のプログラムになるように、牌取り込みのゲート操作をする。この操作系は、演算装置３０からの指令に従い、反転機構用のソレノイド６２０、振り分け板用のソレノイド６１４を作動させるとともに、仕切片４５１を回動するためのソレノイド４５３を作動し、仕切片４５１を閉鎖或いは開口して、牌１０の取り込みタイミングと取り込み数を制御する。
また、振り分け機構６００の反転機構用のソレノイド６２０、振り分け板用のソレノイド６１４を作動させる。
なお、撹拌モード選択スイッチ５６は単純に単一の構造として図３４に示したが、複数のスイッチを操作して所定の撹拌モードに設定するようにしてもよい。実際には、テストモードに入ってから特殊設定モードに入るようにし、誤作動が無いようにするためと、競技者が簡単にいじれないようにするためである。
これを詳細に説明すれば、先ず、（１）電源スイッチとスタートスイッチ（サイコロ部）を同時に押して（数秒）テストモードに入る（テストモードの際、メンテナンス時に、個々の機構を動作させる際に、先ず、サイコロ部のスイッチで動作する。）。次に、（２）特殊設定モードに入るが、この特殊設定モードはゲームモード切替えスイッチで、ゲームモードを表示させ、特殊設定モード番号に合わせて、スタートスイッチ（サイコロ部）を押すことによって特殊設定モードになる。この特殊設定モードは、麻雀店の仕様に応じた設定にするためで、例えば、配牌数の変更等（13牌/12牌：標準13牌）に設定することや、その他に例で配牌モード時の積牌配列等を変えることや、攪拌選択の設定で常時攪拌か又は本実施例の実施例１乃至３やその他の撹拌モードの所定の攪拌モードを選択し設定する。
【００７６】
昇降台用の駆動モータ９１２及びフォトインタラプタ９６６、待機台用の駆動モータ８１５と３つのフォトインタラプタ８１８ａ、８１８ｂ、８１８ｃとはインターフェイス４２を介して演算装置３０に接続されている。
また、演算装置３０にはこの他に４つの入出力インターフェイス４３、４４、４５、４６が接続されており、演算装置３０は各入出力インターフェイス４３〜４６とそれぞれ所要の入出力情報を入出力するよう構成されている。
なお、この演算装置３０には、本発明の特徴である配牌を形成する場合の[従来の撹拌モード][実施例１〜３の撹拌モード]のプログラムが格納されている。勿論、実施例１乃至３以外でも、本発明の特徴である配牌や積牌を小刻みに分けて撹拌する上述したそれぞれの操作の撹拌モードのプログラムを格納しておいても良い。
【００７７】
天板スイッチ５１及び汲上機構及びターンテーブルを駆動させる駆動モータ２０４は入出力インターフェイス４３を介して演算装置３０に接続されている。また、ゲーム選択スイッチ５２、ゲームモード表示器５３、懸賞牌有／無選択スイッチ５４、配牌有／無選択スイッチ５５、撹拌モード選択スイッチ５６は入出力インターフェイス４４を介して演算装置３０に接続されている。
入出力インターフェイス４５には蓋開閉モータ５６、開センサ５７、閉センサ５８が接続されており、これらのモータ及び各センサは入出力インターフェイス４５を介して演算装置３０に接続されている。スタートスイッチ６Ａ、スタートランプ５９、その他各種スイッチやランプ、センサ等が入出力インターフェイス４６を介して演算装置３０に接続されている。
【００７８】
図３６には、２段積牌ブロック（以下、単に２段積牌と称することがある）の形成、天板上への押し出しについての制御動作を説明するためのフローチャートが示されている。
処理が開始されると、ステップＳ１では、スタートスイッチ６ＡがＯＮとされたか否かが判別される。スタートスイッチ６ＡがＯＮとされず、ＯＦＦである場合には、再度ステップＳ１が実行される。スタートスイッチ６ＡがＯＮとされた場合にはステップＳ２に入る。
【００７９】
ステップＳ２では、牌投入口４Ａを開く処理が行われた後、ステップＳ３ではスタートスイッチ６ＡがＯＮとされたか否かが判別される。スタートスイッチ６ＡがＯＮとされず、ＯＦＦである場合にはステップＳ３に戻る。スタートスイッチ６ＡがＯＮとされた場合には、ステップＳ４に入る。
ステップＳ４では、スタートランプ５９をＯＦＦとする処理が行われ、ステップＳ５では牌投入口４Ａを閉じる処理が行われる。次に、ステップＳ６では予め形成され、待機していた２段積牌が天板４上に押し出され、ステップＳ７ではステップＳ２で取り込まれた牌を用いて２段積牌を形成する処理が行われる。
ステップＳ８では、２段積牌形成処理が完了したか否かが判別され、２段積牌形成処理が完了していない場合には、ステップＳ８の判別結果はＮＯとなり、ステップＳ７に戻る。２段積牌形成処理が完了した場合には、ステップＳ８の判別結果はＹＥＳとなり、ステップＳ９に入り、ここでは準備完了を示すスタートランプ５９をＯＮにする処理が行われ、その後ステップＳ１に戻る。
【００８０】
図３６には、懸賞牌を形成した２段積牌ブロックの形成、天板上への押し出しの場合の制御動作を説明するためのフローチャートが示されている。
処理が開始されると、ステップＳ２１ではスタートスイッチ６ＡがＯＮであるか否かが判別される。スタートスイッチ６ＡがＯＦＦである場合には、ステップＳ２１に戻り、スタートスイッチ６ＡがＯＮである場合には、ステップＳ２２に入る。
ステップＳ２２では牌投入口４Ａを開く処理が行われ、ステップＳ２３ではスタートスイッチ６ＡがＯＮであるか否かが判別される。スタートスイッチ６ＡがＯＦＦである場合にはステップＳ２３に戻り、スタートスイッチ６ＡがＯＮである場合にはステップＳ２４に入る。
【００８１】
ステップＳ２４ではスタートランプ５９をＯＦＦにする処理が行われ、ステップＳ２５では牌投入口４Ａを閉じる処理が行われる。ステップＳ２６では２段積牌を天板４上に押し出す処理が行われ、ステップＳ２７では乱数により懸賞牌の位置が決定される。ステップＳ２８では２段積牌を形成すると同時にその中に懸賞牌を配置する処理が行われる。乱数を用いることによりその処理が偶然的に行われることになるので好ましい。以下に説明する各種処理や切り換え等においても乱数を用いているが、同様の効果を期待することができる。
【００８２】
ステップＳ２９では懸賞牌の配置されている２段積牌を形成する処理が完了したか否かが判別される。懸賞牌の配置されている２段積牌を形成する処理が完了していない場合にはステップＳ２９の判別結果はＮＯとなり、ステップＳ２８に戻る。懸賞牌の配置されている２段積牌を形成する処理が完了した場合にはステップＳ２９の判別結果はＹＥＳとなり、ステップＳ３０に入る。ステップＳ３０ではスタートランプ５９をＯＮする処理が行われ、ステップＳ２１に戻る。
【００８３】
図３７は、本発明の対象の[従来の撹拌モード][実施例１〜３の撹拌モード]の配牌ブロック（以下、本発明の単に配牌と称することがある）及び２段積牌を天板４上に順次押し上げる場合の動作を説明するためのフローチャートである。
【００８４】
処理が開始されると、ステップＳ４１ではスタートスイッチ６ＡがＯＮ、ＯＦＦのいずれであるかが判別される。スタートスイッチ６ＡがＯＦＦである場合にはステップＳ４１に戻り、スタートスイッチ６ＡがＯＮである場合にはステップＳ４２に入り、ここでは牌投入口４Ａを開く処理が行われる。
【００８５】
ステップＳ４３ではスタートスイッチ６ＡがＯＮ、ＯＦＦいずれであるかが判別される。スタートスイッチ６ＡがＯＦＦの場合にはステップＳ４３に戻る。スタートスイッチ６ＡがＯＮの場合にはステップＳ４４に入り、ここでは牌投入口４Ａが閉じられる。
【００８６】
ステップＳ４５では、配牌を天板４上に押し出す処理が行われ、ステップＳ４６ではスタートスイッチ６ＡがＯＮ、ＯＦＦのいずれであるかが判別される。スタートスイッチ６ＡがＯＦＦの場合にはステップＳ４６に戻り、スタートスイッチ６ＡがＯＮである場合には、ステップＳ４７に入る。
【００８７】
ステップＳ４７では、スタートランプ５９がＯＦＦにされ、ステップＳ４８では２段積牌を天板４上に押し出す処理が行われる。
ここで競技（ゲーム）が開始させるが、この競技が行われている間に次回の牌形成を準備する。
ステップＳ４９では乱数を用いて次回の懸賞牌の出る場を決定する処理が行われ、ステップＳ５０では乱数を用いて配牌開始時期を決定する処理が行われる。
次に、ステップ５１では設定された撹拌モード選択スイッチ５６の選択された選択モードに従い、[従来の撹拌モード][実施例１〜３の撹拌モード]等の決定する処理が行われ、ステップ５２では配牌及び２段積牌を形成すると同時にそれらの中に懸賞牌を配置する処理が行われる。
【００８８】
ステップ５３では配牌及び２段積牌を形成すると同時にそれらの中に懸賞牌を配置する処理が完了したか否かが判別され、配牌及び２段積牌を形成すると同時にそれらの中に懸賞牌を配置する処理が完了していない場合にはステップ５３の判別結果はＮＯとなり、ステップ５２に戻る。配牌及び２段積牌を形成すると同時にそれらの中に懸賞牌を配置する処理が完了した場合にはステップ５３の判別結果はＹＥＳとなり、ステップ５４に入る。
ステップ５４では、スタートランプ５９がＯＮとされ、ステップＳ４１に戻る。
【００８９】
次に自動麻雀卓１の動作について説明する。図１及び図３８を参照して４人用（１３６牌）、懸賞牌なし、配牌なしに設定した場合の自動麻雀卓１の動作について説明する。図３８はこの場合の２段積み牌の配列を示す平面図である。競技終了後は使用した牌は天板４上に散乱しており、もう一組の牌は既に２段積み整列状態で本体２内に待機している。この状態では、天板４中央に配設されているスタートスイッチ６Ａ内の照光ランプ（スタートランプ５９）は点灯しており、自動麻雀卓１を使用するための操作が可能であることを表示している。
【００９０】
使用者がスタートスイッチ６Ａを操作すると、天板４中央の牌投入口４Ａが開口され、使用者は使用済みの牌１０を牌投入口４Ａから本体２の内部に落とし込む。また、スイッチ操作が行われると同時に駆動モータ２０４が回転を開始して攪拌機構１００が作動状態とされるので、本体２内に投入された牌１０はターンテーブル１０１上で徐々に外側に拡散する。攪拌機構１００の作動に伴い汲上機構２００、整列機構５００、振り分け機構６００、及び押出機構７００が同時に作動を開始するが、汲上機構２００の入り口にある仕切片４５１は閉じられており、牌１０の汲み上げは禁止されている。
再度、使用者がスタートスイッチ６Ａを操作すると、駆動モータ９１２が作動して２段積み牌を天板４上に押し上げる。この作動完了と共に駆動モータ８１５が作動し配牌台８０１及び待機台８０２は原点位置にて停止する。スタートスイッチ６Ａ内の照光ランプを消灯し操作不能を表示すると共に仕切片４５１が作動して開状態となり、汲み上げが可能とされる。
【００９１】
ターンテーブル１０１上の牌１０は攪拌されながら徐々に周縁に向かって移動する。周縁を移動中の牌１０にあって字面が下に向いている牌は牌反転用磁石１０４に反発し、字面を上に向けるよう反転する。また、字面を横に向けた立牌であっても状態によっては回転力を受けて回転し、字面を上に向けた状態となる。字面を横に向けた立牌１０は、攪拌機構１００の攪拌動作に伴い、次第に平伏状態となる。こうしてターンテーブル１０１の周縁を移動している牌１０は、障害壁１１３に到達するが、このとき平伏牌にあっては下方をすり抜け、一方、立牌にあっては障害壁１１３にあたって転倒するか、又は、立牌状態のまま障害壁１１３に沿って移動する。
【００９２】
回転中の円筒回転体４０１の吸着面４０１Ｂが下降位置にあって、その下方を移動中の字面を上にした牌１０は容易に吸着されて上方に汲み上げられる。円筒回転体４０１に吸着された牌１０は、案内部材５０１によって縦長の向きに統一されて上方に汲み上げられると共に、入口センサ４０３によって計数検知される。
汲み上げられた牌１０は誘導路５０４に進入して吸着面４０１Ｂから剥離され、誘導路５０４上を滑走した後、可動片６０１に吸引されて停止する。可動片６０１上の牌１０は回転している棒状押し片６０７に押されて磁石６０２から剥離すると共に、振り分け板６０４の仰木型状基部６０８に沿って前進し、棒状押し片６０７がほぼ水平状態になった辺りで、牌１０は下載置台７０２上に送り込まれる。
【００９３】
下載置台７０２上の牌１０は側壁７０６内に設けた反射型フォトセンサ７０７にて検知される。棒状押し片６０７が牌１０を下載置台７０２上に送り込んでから少し遅れて、下側押し込み片７１０が前進して下載置台７０２上の牌１０を待機台８０２上に押し込んでいく。このようにして牌１０は次々と待機台８０２上に押し込まれていき、１段目の整列牌が形成されていく。
【００９４】
また、汲上機構２００の入り口に設けた入口センサ４０３によって１７牌目が検知されると、入り口の仕切片４５１が制御されて牌１０の汲み上げが禁止される。１７牌目の牌１０が下載置台７０２に到達して下側押し込み片７１０によって待機台８０２上に押し込まれたことが反射型フォトセンサ７０７によって検知されると、所定時間後（下側押し込み片７１０の運動時間を考慮した値）に駆動モータ８１５が起動されて待機台８０２が牌１個分下降する。フォトインタラプタ８１８ｂにて下降位置が検出されると駆動モータ８１５が停止されると共に、入り口の仕切片４５１が開状態とされて牌の汲み上げが再開されると、再び牌の整列動作が行われて２段目の整列牌が待機台８０２上に形成される。
【００９５】
そして入口センサ４０３によって３４牌目が検知されると、仕切片４５１が制御されて牌の汲み上げが禁止される。３４牌目の牌１０が待機台８０２上に押し込まれたことが反射型フォトセンサ７０７で検知されると、下側押し込み片７１０の運動時間を考慮した時間である所定時間後に駆動モータ８１５が起動されて待機台８０２が上昇し、フォトインタラプタ８１８ｃが待機台８０２の上昇位置を検出すると駆動モータ８１５が停止する。このようにして、すべての２段積み牌が形成されると駆動モータ２０４が停止すると共にスタートスイッチ６Ａ内のスタートランプ５９が点灯され、待機状態であることが表示される。
【００９６】
天板４上において麻雀競技が終了し、スタートスイッチ６Ａを操作して牌投入口４Ａを開口し、牌１０を牌投入口４Ａから本体２内に投入した後、再度スタートスイッチ６Ａを操作すると、牌投入口４Ａが元位置に復帰されると共に、駆動モータ９１２が起動して昇降台９０１が下降し、押し板１００４によって待機台８０２上の２段積み牌が昇降台９０１上に移載され、昇降台９０１が上昇して２段積み牌が天板４上に上昇した位置をフォトインタラプタ８１８ａが検出すると駆動モータ９１２が停止する。
作動完了と共に駆動モータ８１５が作動し配牌台８０１及び待機台８０２は原点位置にて停止する。スタートスイッチ６Ａ内のスタートランプ５９が消灯され操作不能が表示されると共に仕切片４５１が作動して汲み上げが可能になる。
上述の如くして２段積み牌が天板４上に押し出され、次の競技が開始される。
【００９７】
次に、上記条件にて懸賞牌を発生させて使用する場合について説明する。一連の動作は、上述した動作とほぼ同じなので、異なる部分についてのみ説明する。スタートスイッチ６Ａを操作して待機中の２段積み牌を天板４上に押し出すまでは上述と全く同様である。仕切片４５１を解放して牌１０の汲み上げを開始するのに先立ち、演算装置３０は乱数を用いて懸賞牌の位置を決定する。なお、懸賞牌を発生しない箇所を決めることもできる。これは通常の麻雀ゲームが二つのサイコロの目によって懸賞牌の位置が決まるため、これに合わせて構成されているものである。本例の４人用１３６牌の場合懸賞牌の発生する箇所はそれぞれの場において１〜１０番目及び１７番目であって、懸賞牌の位置は４４通りである。
【００９８】
麻雀卓の四辺は便宜的に決められた東、西、南、北という名称があり、例えばここでは東の５番目に懸賞牌を発生させることが制御装置により決定されたとする。懸賞牌の位置が決定されると、入り口に設けられている仕切片４５１が解放されて牌の汲み上げが開始され、２段積み牌の形成が開始される。懸賞牌の発生しない場、すなわち、南場、西場、北場については、前述の動作と同じことが行われる。
懸賞牌の発生する東場については、懸賞牌の発生するのは上段であるので、下段形成については上述と同じ動作によって行われる。待機台８０２上に１段目が形成され待機台８０２が牌１個分降下した後、仕切片４５１が解放されて牌の汲み上げが再開され、上段の形成が開始する。
【００９９】
入口センサ４０３が、２１牌目の牌（１７＋４）を検出すると、仕切片４５１が一旦閉じて牌の汲み上げが禁止される。２１牌目の牌１０が下載置台７０２に到達したことを反射型フォトセンサ７０７によって確認されるとソレノイド６１４が作動して可動片６０１が後退すると共に、再び仕切片４５１を解放して２２牌目の牌１個を汲み上げた後、再び仕切片４５１を閉じ、牌の汲み上げを禁止する。
そして反転機構によって字面を上にした牌１０（懸賞牌）が下載置台７０２に到達したことを反射型フォトセンサ７０７によって確認すると、ソレノイド６１４の作動を停止して可動片６０１を元位置に戻すと同時に、再び仕切片４５１を解放して牌の汲み上げを行う。そして３４牌目の牌が入口センサ４０３によって検知されると、仕切片４５１を閉じて牌の汲み上げを禁止する。以降については前記と全く同様である。
【０１００】
図３９は本実施例における配牌パターンを、図４０は２段積み牌の配列パターンを示す平面図である。競技終了後は使用した牌は天板４上に散乱しており、もう１組の牌は配牌、及び２段積み牌の状態で卓内に待機している。この状態のときには、天板４中央にあるスタートスイッチ６Ａ内のスタートランプ５９は点灯しており、操作可能を表示している。
使用者がスタートスイッチ６Ａを操作して、牌投入口４Ａを開口し、使用済み牌を内部に投下する。再度、スタートスイッチ６Ａを操作すると、駆動モータ９１２を起動して昇降台９０１を下降し、押し板１００４によって配牌台８０１上の配牌を昇降台９０１上に移載した後、昇降台９０１を上昇させる。配牌が天板４上に上昇した位置をフォトインタラプタ１３９が検出すると駆動モータ９１２を停止させると共に、駆動モータ８１５を起動して待機台８０２を上昇し、フォトインタラプタ８１８ｃが上昇位置を検出すると駆動モータ８１５が停止する。この状態では、スタートスイッチ６Ａ内のスタートランプ５９が点灯していて、２段積み牌の天板４上への押し出し操作可能を表示する。
【０１０１】
各競技者によって、すべての配牌が昇降台９０１上から取り除かれたのを確認して、再びスタートスイッチ６Ａを操作すると、駆動モータ９１２が起動して昇降台９０１が下降し、押し板１００４によって待機台８０２上の２段積み牌が昇降台９０１上に移載される。２段積牌が載せられた昇降台９０１が上昇し、２段積み牌が天板４上の位置に上昇したことをフォトインタラプタ１３９が検出すると駆動モータ９１２が停止する。この作動完了と共に駆動モータ８１５が作動し配牌台８０１及び待機台８０２は原点位置にて停止する。そしてスタートスイッチ６Ａ内のスタートランプ５９が消灯し操作不能が表示される。
【０１０２】
また、演算装置３０により乱数を用いて懸賞牌を出す場とどの時点から配牌を行うかとが決定される。この点について更に説明すると、例えば一般的な４人麻雀の使用牌数は１３６牌で、配牌数は１３牌であり、図３８に示される配牌パターンが適用される。配牌分を除いた２段積み牌の配列パターンは図３９に示される如く予め決められているので、どの場に懸賞牌を出すかが決定される。そして南場が選択された場合、南場の右から６番目の位置に懸賞牌が発生するようになる。そして南場には８列の２段積み牌が、西場には１７列の２段積み牌が、北場も同様１７列の２段積み牌が形成され、東場には２段積み牌の形成が行われない。因みに東場が選択された場合は、配列パターンが９０°時計方向に回転した形になる。
【０１０３】
次に、どの時点で配牌を行うかについて説明する。例えば、Ｎ牌汲み上げ後に配牌を行うと乱数により決定された場合は、まず、南場、西場、北場の入り口にある仕切片４５１を解放して牌を汲み上げ、２段積牌の形成を開始する。東場の仕切片４５１は解放しない。汲み上げられた牌は、それぞれの入口センサ４０３によって計数され、そのトータル値がＮになると、２段積み牌の形成を一旦止めて配牌が一斉に開始される。
また、図４１は３人用（１０８牌）の２段積み牌の配列パターンを示す平面図であり、動作は４人用と同じである。
【０１０４】
なお、本実施例では１３牌の配牌数であるが、本発明はこの数に限ったものではない。また、配牌パターン及び配牌形成のタイミング等、一例であってこの方法に限るものではなく、他の配牌パターン及び配牌形成のタイミングであってよいのは勿論である。
上述の如く、懸賞牌が南場で、配牌開始が３０牌汲み上げ後と決定された場合の自動麻雀卓１の動作について以下に詳しく説明する。演算装置３０が乱数を用いて懸賞牌を出す場とどの時点から配牌を行うかとを決定すると、東場を除いた場の仕切片４５１が一斉に解放される。
【０１０５】
各場の汲上機構２００により牌１０は一斉に汲み上げが開始されると共に、それぞれの入口センサ４０３によって牌１０が計数検知される。トータル値が３０に達すると、汲み上げている場の仕切片４５１が一斉に閉塞状態にされると共に、東場の仕切片４５１が解放され、同時に振り分け板６０４が上側に作動される。このときの南場の計数値が８、西場の計数値が１０、北場の計数値が１２であったとすると、南場において８番目の牌が下載置台７０２に設けられた反射型フォトセンサ７０７によって検知されると、振り分け板６０４が上側に制御されると共に、仕切片４５１が解放されて牌の汲み上げが再開される。
他の場についても同様に、西場については１０番目の牌が、北場においては１２番目の牌がそれぞれの反射型フォトセンサ７０７によって検知されると、振り分け板６０４が上側に制御されると共に仕切片４５１が解放されて牌の汲み上げが再開する。
【０１０６】
こうして、配牌台８０１上に配牌が次第に形成され、入口センサ４０３が配牌数１３牌を検知、東場については１３番目、南場については２１番目、西場については２３番目、北場については２５番目を検知すると、それぞれ仕切片４５１が一旦閉塞される。そしてそれぞれの場において配牌台８０１に所定数の１３牌が送り込まれたことが反射型フォトセンサ７０８によって検知されると、振り分け板６０４が下側に制御されると共に、仕切片４５１が解放されて牌の汲み上げが再開される。但し、東場については２段積み牌の形成が行われないため仕切片４５１の解放が行われない。仕切片４５１が解放された南場、西場、北場においては、一時休止していた２段積み牌の形成が前述と全く同様の手順で行われる。南場における懸賞牌発生についても同様である。なお、本例におけるトータル数３０を検出したときの南場の８番目の牌は、１段目の所定数に相当するので、仕切片４５１の開放に先立ち待機台８０２の下降も、前記動作に並行して行われる。
【０１０７】
上述の如くして、配牌形成、２段積み牌形成がすべて完了すると、スタートスイッチ６Ａ内のランプが点灯され、操作可能が表示される。以上述べたように、本実施例における自動麻雀卓は、配牌、及び２段積み牌を天板４上に形成することができる。なお、先にトータル値Ｎを計数した時点で一斉に仕切片４５１を閉塞状態にして牌の進入を禁止すると述べたが、この時、トータル値Ｎを検出した場以外の場において既に後続の牌が進入していることが起きていて、進入してしまった牌はそのまま処理されるので、トータル値Ｎ以上（最大Ｎ＋２）の計数が起きる。したがって、配牌数の不足が生じないように乱数によるＮの決定はこれを考慮して行われる。
なお、本実施例の牌１０の汲み上げは、字面側を吸着して行われるが、関連する磁石の極性を変更し、常時反転機構を作動するようにすれば、竹面を吸着するようにできる。
【０１０８】
以上のように、本発明の実施例の自動麻雀卓によれば、配牌を汲上機構によって攪拌装置から汲上げる配牌の形成時に、１ゲーム内での配牌の取り込みに際して取り込みを複数回に分けたので、配牌の撹拌効率を高め、また、必要に応じて積牌の取り込みも複数に分けて積牌の撹拌効率を高めることができ、麻雀競技（ゲーム）において旧来からの手作業で積牌や配牌を形成をする場合に近似させ、従来の自動麻雀卓の整列牌よりも、より牌の種類を分散させランダムに整列牌を形成することができる。
特に、配牌の形成時に、前記進入口開閉機構には仕切片を設け、該仕切片によって所定時間は牌の進入を禁止すべく進入口を閉鎖し、及び、所定数の牌を進入させるべく進入口を開口し、１ゲーム内での配牌の取り込みに際して仕切片が複数回閉鎖及び開口して、配牌の取り込みを複数回に分けたので、従来の仕切片の構成を利用して、仕切片のプログラムを設定するだけの簡単な操作で配牌の撹拌効率を高めることができる。或いは、配牌を汲上機構によって攪拌装置から汲上げる配牌の形成時に、前記振り分け機構により積牌の取込み操作を挿入して、１ゲーム内で配牌の取り込みを中断するようにして、配牌の取り込みを複数回に分けたことので、比較的長時間での配牌形成を中断するので、撹拌装置での大きな範囲の撹拌できる。また、配牌の取り込みの途中に、振り分け機構により積牌の取込み操作を挿入して、配牌の取り込みを中断するようにしたので、より配牌の撹拌効率を高めることができる。更に、連続して取り込む所定数の配牌は、４牌以下の４牌や３牌となるように仕切片が複数回閉鎖するようにしたので、より小刻みに配牌の取り込みを分けて、より配牌の撹拌効率を高めることができる。また、積牌の取り込みに際して、振り分け機構により積牌の取り込みを複数回に分けるようにしたので、配牌のみならず積牌の撹拌効率を高めることができる。更に、積牌の取り込みに際しては、必要に応じて、積牌及び配牌を連続取り込みするモードを選択ができるようにしたので、上記の本発明の各撹拌モードは勿論のこと、従来の積牌及び配牌の連続取り込みする撹拌モードも選択ができ、競技者がゲームの様態を広くして楽しむことができる。
なお、本発明の特徴を損なうものでなければ、前述の実施例に限定させるものでないことは勿論である。
【符号の説明】
【０１０９】
１  自動麻雀卓
２  本体
４  天板
４Ａ  牌投入口
６  操作板
６Ａ  スタートスイッチ
１０  牌
１１  磁石
５６  撹拌モード選択スイッチ
１００  攪拌機構
２００  汲上機構
４０３  入口センサ
４５０  進入口開閉機構
４５１  仕切片
５００  整列機構
６００  振り分け機構
６０４  振り分け板
６５０  牌反転機構
７００  押出機構
７０２  下載置台
７０３  上載置台
７０９  上側押込片
７１０  下側押込片
８００  待機機構
８０１  配牌台
８０２  待機台
９００  昇降台機構
９０１  昇降台
１０００  押板機構
１００４  押し板
【図１】
2010240268.tif 000003
【図２】
2010240268.tif 000004
【図３】
2010240268.tif 000005
【図４】
2010240268.tif 000006
【図５】
2010240268.tif 000007
【図６】
2010240268.tif 000008
【図７】
2010240268.tif 000009
【図８】
2010240268.tif 000010
【図９】
2010240268.tif 000011
【図１０】
2010240268.tif 000012
【図１１】
2010240268.tif 000013
【図１２】
2010240268.tif 000014
【図１３】
2010240268.tif 000015
【図１４】
2010240268.tif 000016
【図１５】
2010240268.tif 000017
【図１６】
2010240268.tif 000018
【図１７】
2010240268.tif 000019
【図１８】
2010240268.tif 000020
【図１９】
2010240268.tif 000021
【図２０】
2010240268.tif 000022
【図２１】
2010240268.tif 000023
【図２２】
2010240268.tif 000024
【図２３】
2010240268.tif 000025
【図２４】
2010240268.tif 000026
【図２５】
2010240268.tif 000027
【図２６】
2010240268.tif 000028
【図２７】
2010240268.tif 000029
【図２８】
2010240268.tif 000030
【図２９】
2010240268.tif 000031
【図３０】
2010240268.tif 000032
【図３１】
2010240268.tif 000033
【図３２】
2010240268.tif 000034
【図３３】
2010240268.tif 000035
【図３４】
2010240268.tif 000036
【図３５】
2010240268.tif 000037
【図３６】
2010240268.tif 000038
【図３７】
2010240268.tif 000039
【図３８】
2010240268.tif 000040
【図３９】
2010240268.tif 000041
【図４０】
2010240268.tif 000042
【図４１】
2010240268.tif 000043